(57)【特許請求の範囲】
【請求項１】
搬送波集成を支援する無線通信システムにおいて第１ＵＥ（Ｕｓｅｒ  Ｅｑｕｉｐｍｅｎｔ）によってＤ２Ｄ（Ｄｅｖｉｃｅ−ｔｏ−Ｄｅｖｉｃｅ）信号を送信する方法であって、前記方法は、
Ｄ２Ｄ送信電力参照に基づいたＤ２Ｄ送信電力を取得することと、
前記Ｄ２Ｄ送信電力を用いてＤ２Ｄ信号を第２ＵＥに送信することと
を含み、
第１セルの第１サブフレームと第２セルの第２サブフレームとの間の重なったインターバルが閾値よりも大きいときに、前記Ｄ２Ｄ送信電力参照は、
タイミングレファレンスが下りリンクタイミングに基づいて決定される場合におけるＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照、及び
前記タイミングレファレンスが上りリンクタイミングに基づいて決定される場合におけるＷＡＮ基盤ＰＵＳＣＨの電力参照
のうちの１つに基づく、方法。
【請求項２】
Ｄ２Ｄ信号タイプがＤ２Ｄスケジューリング割当て又はタイプ１ Ｄ２Ｄディスカバリーであるときに、前記タイミングレファレンスは、前記下りリンクタイミングに基づいて設定され、
前記Ｄ２Ｄ信号タイプがモード１ Ｄ２Ｄ通信であるときに、前記タイミングレファレンスは、前記上りリンクタイミングに基づいて設定される、請求項１に記載の方法。
【請求項３】
前記タイミングレファレンスが前記下りリンクタイミングに基づいて決定されるときに、前記Ｄ２Ｄ送信電力参照は、数式Ａによって決定され、
＜数式Ａ＞
ＭＩＮ｛ＰＣＭＡＸ、ｃ（ｉ）、Ｐ０＿ＰＵＣＣＨ＋ＰＬｃ＋ｇ（ｉ）｝
ここで、
【数１】
0006370990.tif 000098
は前記第１ＵＥの最大送信電力を示し、
【数２】
0006370990.tif 000099
はセル−特定パラメーターの和に対応するパラメーターを示し、
【数３】
0006370990.tif 000100
はＵＥによってｄＢ単位で計算された下りリンク経路損失又は信号損失の推定値を示し、
【数４】
0006370990.tif 000101
はインデックス
【数５】
0006370990.tif 000102
を有するサブフレームの現在ＰＵＣＣＨ電力制御調整状態を示し、Ｍｉｎ｛Ａ、Ｂ｝は入力パラメーターＡ及びＢのうちの小さい方の値を導出する関数を示す、請求項１に記載の方法。
【請求項４】
前記タイミングレファレンスが前記上りリンクタイミングに基づいて決定されるときに、前記Ｄ２Ｄ送信電力参照は、数式Ｂによって決定され、
＜数式Ｂ＞
ＭＩＮ｛ＰＣＭＡＸ、ｃ（ｉ）、Ｐ０＿ＰＵＳＣＨ、ｃ（１）＋αｃ（１）（ＰＬｃ＋ｆｃ（ｉ）｝
ここで、
【数６】
0006370990.tif 000103
は前記第１ＵＥの最大送信電力を示し、
【数７】
0006370990.tif 000104
は上位階層から提供されたセル−特定ノミナルコンポーネント
【数８】
0006370990.tif 000105
と前記上位階層によって提供されたＵＥ−特定コンポーネント
【数９】
0006370990.tif 000106
の和に対応するパラメーターを示し、αｃ（ｊ）は経路損失補償因子を示し、
【数１０】
0006370990.tif 000107
はインデックス
【数１１】
0006370990.tif 000108
を有するサブフレームの現在ＰＵＳＣＨ電力制御調整状態を示し、Ｍｉｎ｛Ａ、Ｂ｝は入力パラメーターＡ及びＢのうちの小さい方の値を導出する関数を示す、請求項１に記載の方法。
【請求項５】
前記Ｄ２Ｄ送信電力は、
ＲＲＣ連結状態のＵＥに対し、ＲＲＣ遊休状態のＵＥよりも高く設定される、請求項１に記載の方法。
【請求項６】
前記Ｄ２Ｄ送信電力は、
ＲＲＣ連結状態のＵＥに対し、ＷＡＮ基盤上りリンク通信関連電力制御命令（ＴＰＣ）パラメーター変化によって再設定される、請求項１に記載の方法。
【請求項７】
搬送波集成を支援する無線通信システムにおいてＤ２Ｄ（Ｄｅｖｉｃｅ−ｔｏ−Ｄｅｖｉｃｅ）信号を送信する第１ＵＥ（Ｕｓｅｒ  Ｅｑｕｉｐｍｅｎｔ）であって、前記ＵＥは、
無線周波数ユニットと、
プロセッサと
を含み、
前記プロセッサは、
Ｄ２Ｄ送信電力参照に基づいたＤ２Ｄ送信電力を取得することと、
前記Ｄ２Ｄ送信電力参照に基づいて決定された前記Ｄ２Ｄ送信電力を用いてＤ２Ｄ信号を第２ＵＥに送信することと
を実行するように構成され、
第１セルの第１サブフレームと第２セルの第２サブフレームとの間の重なったインターバルが閾値よりも大きいときに、前記Ｄ２Ｄ送信電力参照は、
タイミングレファレンスが下りリンクタイミングに基づいて決定される場合におけるＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照、及び
前記タイミングレファレンスが上りリンクタイミングに基づいて決定される場合におけるＷＡＮ基盤ＰＵＳＣＨの電力参照
のうちの１つに基づく、第１ＵＥ。
【発明の詳細な説明】
【技術分野】
【０００１】
本発明は無線通信システムに関するもので、より詳しくは無線通信システムにおけるＤ２Ｄ（Ｄｅｖｉｃｅ−ｔｏ−Ｄｅｖｉｃｅ）信号送信電力制御方法及びそのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照するとよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（Ｄｏｗｎｌｉｎｋ；ＤＬ）データについて、基地局は下りリンクスケジューリング情報を送信し、該当端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥにまで開発されてきたが、ユーザと事業者の要求と期待は増す一方である。その上、他の無線接続技術の開発が続いており、将来、競争力を有するためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
本発明では上述したような論議に基づき、以下では無線通信システムにおけるＤ２Ｄ信号送信電力制御方法及びそのための装置を提案しようとする。
【課題を解決するための手段】
【０００８】
前記の技術的課題を解決するための本発明の一態様による、無線通信システムにおいて第１Ｄ２Ｄ（Ｄｅｖｉｃｅ−ｔｏ−Ｄｅｖｉｃｅ）端末がＤ２Ｄ信号を送信する方法は、Ｄ２Ｄ信号タイプによって適用されるタイミングレファレンスに基づいてＤ２Ｄ送信電力参照を設定する段階；及び前記Ｄ２Ｄ送信電力参照によって決定されたＤ２Ｄ送信電力に基づいてＤ２Ｄ信号を第２Ｄ２Ｄ端末に送信する段階を含み、前記Ｄ２Ｄ送信電力参照は、前記タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、前記タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定されることができる。
【０００９】
また、前記Ｄ２Ｄ信号タイプが、Ｄ２Ｄスケジューリング割当て（Ｄ２Ｄ  ｓｃｈｅｄｕｌｉｎｇ  ａｓｓｉｇｎｍｅｎｔ）、タイプ１Ｄ２Ｄディスカバリー（Ｔｙｐｅ１  Ｄ２Ｄ  ｄｉｓｃｏｖｅｒｙ）の場合、下りリンクタイミングに従うように設定され、前記Ｄ２Ｄ信号タイプが、モード１Ｄ２Ｄ通信（Ｍｏｄｅ１  Ｄ２Ｄ  ｃｏｍｍｕｎｉｃａｔｉｏｎ）の場合、上りリンクタイミングに従うように設定されることを特徴とすることができる。
【００１０】
また、前記Ｄ２Ｄ送信電力は、ＲＲＣ連結状態（ＲＲＣ＿Ｃｏｎｎｅｃｔｅｄ）のＤ２Ｄ端末に対し、ＲＲＣ連結遊休状態（ＲＲＣ＿Ｃｏｎｎｅｃｔｅｄ）のＤ２Ｄ端末より高く設定されることを特徴とすることができる。
【００１１】
また、前記Ｄ２Ｄ送信電力は、ＲＲＣ連結状態（ＲＲＣ＿Ｃｏｎｎｅｃｔｅｄ）のＤ２Ｄ端末に対し、ＷＡＮ基盤上りリンク通信関連電力制御命令（ＴＰＣ）パラメーター変化によって再設定されることを特徴とすることができる。
【００１２】
前記の技術的課題を解決するための本発明の他の態様による、搬送波集成を支援する無線通信システムにおいて第１Ｄ２Ｄ（Ｄｅｖｉｃｅ−ｔｏ−Ｄｅｖｉｃｅ）端末がＤ２Ｄ信号及びＷＡＮ（Ｗｉｄｅ  Ａｒｅａ  Ｎｅｔｗｏｒｋ）信号を送信する方法は、前記Ｄ２Ｄ信号に対する第１タイミングレファレンス及び前記ＷＡＮ信号に対する第２タイミングレファレンスに基づいてＤ２Ｄ送信電力参照を設定する段階；及び前記Ｄ２Ｄ送信電力参照によって決定されたＤ２Ｄ送信電力に基づいてＤ２Ｄ信号を第２Ｄ２Ｄ端末に送信する段階を含み、前記Ｄ２Ｄ送信電力参照は、前記第１タイミングレファレンスによる第１サブフレームと前記第２タイミングレファレンスによる第２サブフレームが重畳し、前記第２タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、前記第１タイミングレファレンスによる第１サブフレームと前記第２タイミングレファレンスによる第２サブフレームが重畳し、前記第２タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定されることができる。
【００１３】
前記の技術的課題を解決するための本発明のさらに他の態様による、無線通信システムにおいてＤ２Ｄ信号を送信する第１Ｄ２Ｄ（Ｄｅｖｉｃｅ−ｔｏ−Ｄｅｖｉｃｅ）端末は、無線周波数ユニット（Ｒａｄｉｏ  Ｆｒｅｑｕｅｎｃｙ  Ｕｎｉｔ）；及びプロセッサ（Ｐｒｏｃｅｓｓｏｒ）を含み、前記プロセッサは、Ｄ２Ｄ信号タイプによって適用されるタイミングレファレンスに基づいてＤ２Ｄ送信電力参照を設定し、前記Ｄ２Ｄ送信電力参照によって決定されたＤ２Ｄ送信電力に基づいてＤ２Ｄ信号を第２Ｄ２Ｄ端末に送信するように構成され、前記Ｄ２Ｄ送信電力参照は、前記タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、前記タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定されることができる。
【００１４】
本発明について前述した一般的な説明と後述する詳細な説明は例示的なもので、請求項に記載の発明についての更なる説明のためのものである。
【発明の効果】
【００１５】
本発明の実施例によると、無線通信システムにおいて端末がＤ２Ｄ信号送信電力を効率的に制御することができる。
【図面の簡単な説明】
【００１６】
本発明の理解を助けるために詳細な説明の一部として含まれる添付図面は本発明の実施例を提供し、詳細な説明と一緒に本発明の技術的思想を説明する。
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】下りリンクスロットに対するリソースグリッド（ｒｅｓｏｕｒｃｅ  ｇｒｉｄ）を例示する。
【図６】ＬＴＥシステムで使われる下りリンク無線フレームの構造を例示する。
【図７】ＬＴＥシステムで使われる上りリンクサブフレームの構造を例示する。
【図８】Ｄ２Ｄ（ＵＥ−ｔｏ−ＵＥ  Ｃｏｍｍｕｎｉｃａｔｉｏｎ）通信を説明するための参照図である。
【図９】本発明において搬送波集成を支援する無線通信システム上で相異なるセル間のタイミングレファレンスが違う場合を説明するための参照図である。
【図１０】本発明の一実施例に適用可能な基地局及び端末を示す。
【発明を実施するための形態】
【００１７】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線接続システムに使うことができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などの無線技術によって具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡを使うＥ―ＵＭＴＳ（Ｅｖｏｌｖｅｄ  ＵＭＴＳ）の一部であって、下りリンクでＯＦＤＭＡを採用し、上りリンクでＳＣ―ＦＤＭＡを採用する。ＬＴＥ―Ａ（Ａｄｖａｎｃｅｄ）は、３ＧＰＰ  ＬＴＥの進化したたバージョンである。
【００１８】
説明を明確にするために、３ＧＰＰ  ＬＴＥ／ＬＴＥ―Ａを中心に記述するが、本発明の技術的思想がこれに制限されることはない。また、以下の説明で使用される特定用語は、本発明の理解を促進するために提供されたものであって、このような特定用語の使用は、本発明の技術的思想から逸脱しない範囲で他の形態に変更可能である。
【００１９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２３】
基地局（ｅＮＢ）を構成する一つのセルは、１．２５、２．５、５、１０、１５、２０ＭＨｚなどの帯域幅のいずれか一つとして設定され、複数の端末に下り又は上り送信サービスを提供する。互いに異なるセルは、互いに異なる帯域幅を提供するように設定することができる。
【００２４】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を通じて送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰ  ＬＴＥシステムに用いられる物理チャネル及びこれらを用いた一般的な信号送信方法を説明するための図である。
【００２６】
電源が消えた状態で再び電源が入ったり、新しくセルに進入したりしたユーザ機器は、段階Ｓ３０１で、基地局と同期を取る等の初期セル探索（Ｉｎｉｔｉａｌ  ｃｅｌｌ  ｓｅａｒｃｈ）作業を行う。そのために、ユーザ機器は、基地局からプライマリー同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及びセカンダリー同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信し、セル内の放送情報を取得することができる。一方、ユーザ機器は、初期セル探索段階で、下りリンク参照信号（Ｄｏｗｎｌｉｎｋ  Ｒｅｆｅｒｅｎｃｅ  Ｓｉｇｎａｌ、ＤＬ  ＲＳ）を受信し、下りリンクチャネル状態を確認することができる。
【００２７】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００２８】
その後、ユーザ機器は、基地局への接続を完了するために、以降の段階Ｓ３０３〜段階Ｓ３０６などのランダムアクセス過程（Ｒａｎｄｏｍ  Ａｃｃｅｓｓ  Ｐｒｏｃｅｄｕｒｅ）を行うことができる。このために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブルを送信し（Ｓ３０３）、物理下りリンク制御チャネル及びこれに対応する物理下りリンク共有チャネルを介してプリアンブルに対する応答メッセージを受信することができる（Ｓ３０４）。競合ベースのランダムアクセスの場合、追加的な物理ランダムアクセスチャネルの送信（Ｓ３０５）、及び物理下りリンク制御チャネル及びこれに対応する物理下りリンク共有チャネルの受信（Ｓ３０６）などの衝突解決手続（Ｃｏｎｔｅｎｔｉｏｎ  Ｒｅｓｏｌｕｔｉｏｎ  Ｐｒｏｃｅｄｕｒｅ）を行うことができる。
【００２９】
上述の手続を行ったユーザ機器は、以降、一般的な上りリンク／下りリンク信号送信手続として、物理下りリンク制御チャネル／物理下りリンク共有チャネルの受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を上りリンク制御情報（Ｕｐｌｉｎｋ  Ｃｏｎｔｒｏｌ  Ｉｎｆｏｒｍａｔｉｏｎ、ＵＣＩ）と総称する。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書において、ＨＡＲＱ  ＡＣＫ／ＮＡＣＫは、簡単にＨＡＲＱ−ＡＣＫあるいはＡＣＫ／ＮＡＣＫ（Ａ／Ｎ）と称される。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうちの少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にＰＵＣＣＨを介して送信されるが、制御情報とトラフィックデータが同時に送信されなければならない場合、ＰＵＳＣＨを介して送信され得る。また、ネットワークの要求／指示によって、ＰＵＳＣＨを介してＵＣＩを非周期的に送信することができる。
【００３０】
図４は、ＬＴＥシステムで使用される無線フレームの構造を例示する図である。
図４を参照すると、セルラーＯＦＤＭ無線パケット通信システムにおいて、上りリンク／下りリンクデータパケット送信はサブフレーム単位で行われ、１サブフレームは、多数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム構造と、ＴＤＤ（Ｔｉｍｅ  Ｄｉｖｉｓｉｏｎ  Ｄｕｐｌｅｘ）に適用可能なタイプ２の無線フレーム構造を支援する。
【００３１】
図４の（ａ）は、タイプ１の無線フレームの構造を例示する。下りリンク無線フレームは１０個のサブフレームで構成され、１サブフレームは時間領域で２個のスロットで構成される。１サブフレームが送信されるのにかかる時間をＴＴＩ（ｔｒａｎｓｍｉｓｓｉｏｎ  ｔｉｍｅ  ｉｎｔｅｒｖａｌ）と言う。例えば、１サブフレームの長さは１ｍｓで、１スロットの長さは０．５ｍｓであり得る。一つのスロットは、時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムでは下りリンクでＯＦＤＭＡを使うので、ＯＦＤＭシンボルが一つのシンボル区間を示す。また、ＯＦＤＭシンボルは、ＳＣ―ＦＤＭＡシンボル又はシンボル区間と称することもできる。リソース割当て単位としてのリソースブロック（ＲＢ）は、一つのスロットで複数の連続的な副搬送波（ｓｕｂｃａｒｒｉｅｒ）を含むことができる。
【００３２】
１スロットに含まれるＯＦＤＭシンボルの数は、ＣＰ（Ｃｙｃｌｉｃ  Ｐｒｅｆｉｘ）の構成によって変わり得る。ＣＰには、拡張ＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であり得る。ＯＦＤＭシンボルが拡張ＣＰによって構成された場合、１ＯＦＤＭシンボルの長さが増加するので、１スロットに含まれるＯＦＤＭシンボルの数は一般ＣＰの場合より少ない。例えば、拡張ＣＰの場合、一つのスロットに含まれるＯＦＤＭシンボルの数は６個であり得る。ユーザ機器が速い速度で移動する場合などのようにチャネル状態が不安定な場合、シンボル間の干渉をさらに減少させるために拡張ＣＰを使うことができる。
【００３３】
一般ＣＰが使用される場合、スロットは７個のＯＦＤＭシンボルを含むので、１サブフレームは１４個のＯＦＤＭシンボルを含む。このとき、各サブフレームの最初の最大３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３４】
図４の（ｂ）は、タイプ２の無線フレームの構造を示す図である。タイプ２の無線フレームは、２個のハーフフレーム（ｈａｌｆ  ｆｒａｍｅ）で構成され、各ハーフフレームは、２個のスロットを含む４個の一般サブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレームで構成される。
【００３５】
前記特別サブフレームにおいて、ＤｗＰＴＳは、ユーザ機器での初期セル探索、同期化又はチャネル推定に使用される。ＵｐＰＴＳは、基地局でのチャネル推定とユーザ機器の上りリンク送信同期を取るのに使用される。すなわち、ＤｗＰＴＳは下りリンク送信に、ＵｐＰＴＳは上りリンク送信に使用され、特に、ＵｐＰＴＳは、ＰＲＡＣＨプリアンブルやＳＲＳ送信の用途で活用される。また、保護区間は、上りリンクと下りリンクとの間において下りリンク信号の多重経路遅延によって上りリンクで生じる干渉を除去するための区間である。
前記特別サブフレームに関して、現在の３ＧＰＰ標準文書では、下記の表１のように設定を定義している。表１において、
【００３６】
【化１】
0006370990.tif 000002
【００３７】
である場合のＤｗＰＴＳとＵｐＰＴＳを示し、残りの領域が保護区間として設定される。
【００３８】
【表１】
0006370990.tif 000003
【００３９】
一方、タイプ２の無線フレームの構造、すなわち、ＴＤＤシステムにおける上りリンク／下りリンクサブフレーム設定（ＵＬ／ＤＬ  ｃｏｎｆｉｇｕｒａｔｉｏｎ）は、下記の表２の通りである。
【００４０】
【表２】
0006370990.tif 000004
【００４１】
上記の表２において、Ｄは下りリンクサブフレーム、Ｕは上りリンクサブフレームを表し、Ｓは特別サブフレームを表す。また、上記の表２は、それぞれのシステムでの上りリンク／下りリンクサブフレーム設定において下りリンク−上りリンクスイッチング周期も示している。
【００４２】
上述した無線フレームの構造は例示に過ぎなく、無線フレームに含まれるサブフレームの数、サブフレームに含まれるスロットの数、及びスロットに含まれるシンボルの数は多様に変更可能である。
【００４３】
図５は、下りリンクスロットに対するリソースグリッド（ｒｅｓｏｕｒｃｅ  ｇｒｉｄ）を例示する。
【００４４】
図５を参照すると、下りリンクスロットは、時間領域で
【００４５】
【化２】
0006370990.tif 000005
【００４６】
ＯＦＤＭシンボルを含み、周波数領域で
【００４７】
【化３】
0006370990.tif 000006
【００４８】
リソースブロックを含む。それぞれのリソースブロックが
【００４９】
【化４】
0006370990.tif 000007
【００５０】
副搬送波を含むので、下りリンクスロットは、周波数領域で
【００５１】
【化５】
0006370990.tif 000008
【００５２】
副搬送波を含む。図８は、下りリンクスロットが７ＯＦＤＭシンボルを含み、リソースブロックが１２副搬送波を含むことを例示しているが、必ずしもこれに限定されることはない。例えば、下りリンクスロットに含まれるＯＦＤＭシンボルの個数は、サイクリックプレフィックス（Ｃｙｃｌｉｃ  Ｐｒｅｆｉｘ、ＣＰ）の長さによって変形可能である。
【００５３】
リソースグリッド上の各要素をリソース要素（Ｒｅｓｏｕｒｃｅ  Ｅｌｅｍｅｎｔ；ＲＥ）とし、１つのリソース要素は、一つのＯＦＤＭシンボルインデックス及び一つの副搬送波インデックスで指示される。一つのＲＢは、
【００５４】
【化６】
0006370990.tif 000009
【００５５】
リソース要素で構成されている。下りリンクスロットに含まれるリソースブロックの数
【００５６】
【化７】
0006370990.tif 000010
【００５７】
は、セルで設定される下りリンク送信帯域幅に依存する。
【００５８】
図６は下りリンクサブフレームの構造を例示する。
【００５９】
図６を参照すると、サブフレームの一番目スロットにおいて前部に位置する最大３（４）個のＯＦＤＭシンボルは制御チャネルが割り当てられる制御領域に対応する。残ったＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に対応する。ＬＴＥで使われる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨはサブフレームの一番目ＯＦＤＭシンボルで送信され、サブフレーム内で制御チャネルの伝送に使われるＯＦＤＭシンボルの個数に関する情報を運ぶ。ＰＨＩＣＨは上りリンク伝送に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００６０】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは使用者器機又は使用者器機グループのためのリソース割当て情報及び他の制御情報を含む。例えば、ＤＣＩは、上り／下りリンクスケジューリング情報、上りリンク伝送（Ｔｘ）パワー制御命令などを含む。
【００６１】
ＰＤＣＣＨは下りリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の伝送フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダム接続応答のような上位−階層制御メッセージのリソース割当て情報、使用者器機グループ内の個別使用者器機に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で送信されることができる。使用者機器は複数のＰＤＣＣＨをモニターすることができる。ＰＤＣＣＨは一つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥはＰＤＣＣＨに無線チャネル状態に基づいたコーディングレートを提供するのに使われる論理的割当てユニットである。ＣＣＥは複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は使用者器機に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付け加える。ＣＲＣはＰＤＣＣＨの所有者又は使用目的によって識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスキングされる。例えば、ＰＤＣＣＨが特定の使用者器機のためのものである場合、該当使用者器機の識別子（例えば、ｃｅｌｌ−ＲＮＴＩ（Ｃ−ＲＮＴＩ））がＣＲＣにマスキングされることができる。ＰＤＣＣＨがページングメッセージのためのものである場合、ページング識別子（例えば、ｐａｇｉｎｇ−ＲＮＴＩ（Ｐ−ＲＮＴＩ））がＣＲＣにマスキングされることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＣ））のためのものである場合、ＳＩ−ＲＮＴＩ（ｓｙｓｔｅｍ  Ｉｎｆｏｒｍａｔｉｏｎ  ＲＮＴＩ）がＣＲＣにマスキングされることができる。ＰＤＣＣＨがランダム接続応答のためのものである場合、ＲＡ−ＲＮＴＩ（ｒａｎｄｏｍ  ａｃｃｅｓｓ−ＲＮＴＩ）がＣＲＣにマスキングされることができる。
【００６２】
図７はＬＴＥで使われる上りリンクサブフレームの構造を例示する。
【００６３】
図７を参照すると、上りリサブフレームは複数（例えば、２個）のスロットを含む。スロットはＣＰ長によって相異なる数のＳＣ−ＦＤＭＡシンボルを含むことができる。上りリサブフレームは周波数領域でデータ領域と制御領域に区分される。データ領域はＰＵＳＣＨを含み、音声などのデータ信号を送信するのに使われる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するのに使われる。ＰＵＣＣＨは周波数軸でデータ領域の両端部に位置するＲＢ対（ＲＢ  ｐａｉｒ）を含み、スロットを境界としてホッピングする。
【００６４】
ＰＵＣＣＨは次の制御情報を送信するのに使われることができる。
【００６５】
−ＳＲ（Ｓｃｈｅｄｕｌｉｎｇ  Ｒｅｑｕｅｓｔ）：上りリンクＵＬ−ＳＣＨリソースを要請するのに使われる情報である。ＯＯＫ（Ｏｎ−Ｏｆｆ  Ｋｅｙｉｎｇ）方式を用いて送信される。
【００６６】
−ＨＡＲＱ  ＡＣＫ／ＮＡＣＫ：ＰＤＳＣＨ上の下りリンクデータパケットに対する応答信号である。下りリンクデータパケットが成功的に受信されたかを示す。単一下りリンクコードワードに対する応答としてＡＣＫ／ＮＡＣＫ１ビットが送信され、二つの下りリンクコードワードに対する応答としてＡＣＫ／ＮＡＣＫ２ビットが送信される。
【００６７】
−ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報はＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（ＰｒｅｃｏｄｉｎｇタイプＩｎｄｉｃａｔｏｒ）などを含む。サブフレーム当たり２０ビットが使われる。
【００６８】
使用者機器がサブフレームで送信することができる制御情報（ＵＣＩ）の量は制御情報伝送に可用なＳＣ−ＦＤＭＡの個数に依存する。制御情報伝送に可用なＳＣ−ＦＤＭＡはサブフレームで参照信号伝送のためのＳＣ−ＦＤＭＡシンボルを除いた残りはＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除かれる。参照信号はＰＵＣＣＨのコヒーレント検出に使われる。
【００６９】
以下、ＬＴＥシステムにおける上りリンク伝送電力制御方法について説明する。
【００７０】
端末が自分の上りリンク伝送電力を制御する方法は開ループ電力制御（Ｏｐｅｎ  Ｌｏｏｐ  Ｐｏｗｅｒ  Ｃｏｎｔｒｏｌ；ＯＬＰＣ）と閉ループ電力制御（Ｃｌｏｓｅｄ  Ｌｏｏｐ  Ｐｏｗｅｒ  Ｃｏｎｔｒｏｌ；ＣＬＰＣ））を含む。このうち、前者は端末が属するセルの基地局からの下りリンク信号減衰を推正し、これを償う方式で電力制御を行うための因子であり、端末から基地局までの距離がもっと遠くなって下りリンクの信号減衰が大きければ上りリンクの伝送電力をもっと高める方式で上りリンク電力を制御する。そして、後者は基地局で上りリンク伝送電力を調節するのに必要な情報（つまり、制御信号）を直接伝達する方式で上りリンク電力を制御する。
【００７１】
次の数式１は搬送波集成技法を支援するシステムにおいてサービングセル
【００７２】
【化８】
0006370990.tif 000011
【００７３】
においてサブフレームインデックス
【００７４】
【化９】
0006370990.tif 000012
【００７５】
上でＰＵＳＣＨとＰＵＣＣＨを同時に送信せずにＰＵＳＣＨのみを送信する場合の端末の伝送電力を決定するための式である。
【００７６】
【数１】
0006370990.tif 000013
【００７７】
次の数式２は搬送波集成技法を支援するシステムにおいてサービングセル
【００７８】
【化１０】
0006370990.tif 000014
【００７９】
のサブフレームインデックス
【００８０】
【化１１】
0006370990.tif 000015
【００８１】
でＰＵＣＣＨとＰＵＳＣＨを同時に送信する場合、ＰＵＳＣＨ伝送電力を決定するための式である。
【００８２】
【数２】
0006370990.tif 000016
【００８３】
以下で、前記数式１及び数式２に関連して記述するパラメーターはサービングセル
【００８４】
【化１２】
0006370990.tif 000017
【００８５】
での端末の上りリンク伝送電力を決定するものである。ここで、前記数式１の
【００８６】
【化１３】
0006370990.tif 000018
【００８７】
はサブフレームインデックス
【００８８】
【化１４】
0006370990.tif 000019
【００８９】
での端末の伝送可能な最大電力を示し、前記数式２の
【００９０】
【化１５】
0006370990.tif 000020
【００９１】
の線形値（ｌｉｎｅａｒ  ｖａｌｕｅ）を示す。前記数式２の
【００９２】
【化１６】
0006370990.tif 000021
【００９３】
の線形値（ｌｉｎｅａｒ  ｖａｌｕｅ）を示す（ここで、
【００９４】
【化１７】
0006370990.tif 000022
【００９５】
はサブフレームインデックス
【００９６】
【化１８】
0006370990.tif 000023
【００９７】
でのＰＵＣＣＨ伝送電力を示す。
【００９８】
また、数式１で、
【００９９】
【化１９】
0006370990.tif 000024
【０１００】
はサブフレームインデックス
【０１０１】
【化２０】
0006370990.tif 000025
【０１０２】
に対して有効なリソースブロック数で表現されたＰＵＳＣＨリソース割当ての帯域幅を示すパラメーターで、基地局が割り当てる値である。
【０１０３】
【化２１】
0006370990.tif 000026
【０１０４】
は上位階層から提供されたセル−特定ノミナルコンポーネント（ｎｏｍｉｎａｌ  ｃｏｍｐｏｎｅｎｔ）
【０１０５】
【化２２】
0006370990.tif 000027
【０１０６】
と上位階層から提供された端末−特定コンポーネント
【０１０７】
【化２３】
0006370990.tif 000028
【０１０８】
の和で構成されたパラメーターで、基地局が端末に知らせる値である。
【０１０９】
上りリンクグラントによるＰＵＳＣＨ伝送／再伝送
【０１１０】
【化２４】
0006370990.tif 000029
【０１１１】
の数は１であり、ランダムアクセス応答によるＰＵＳＣＨ伝送／再伝送
【０１１２】
【化２５】
0006370990.tif 000030
【０１１３】
の数は２である。そして、
【０１１４】
【化２６】
0006370990.tif 000031
【０１１５】
及び
【０１１６】
【化２７】
0006370990.tif 000032
【０１１７】
であり、パラメーター
【０１１８】
【化２８】
0006370990.tif 000033
【０１１９】
は上位階層でシグナリングされる。
【０１２０】
【化２９】
0006370990.tif 000034
【０１２１】
は経路損失補償因子（ｐａｔｈｌｏｓｓ  ｃｏｍｐｅｎｓａｔｉｏｎ  ｆａｃｔｏｒ）で、上位階層から提供されて基地局が３ビットで送信するセル−特定パラメーターであり、
【０１２２】
【化３０】
0006370990.tif 000035
【０１２３】
が０又は１であるとき、
【０１２４】
【化３１】
0006370990.tif 000036
【０１２５】
であり、
【０１２６】
【化３２】
0006370990.tif 000037
【０１２７】
が２であるとき、
【０１２８】
【化３３】
0006370990.tif 000038
【０１２９】
である。
【０１３０】
【化３４】
0006370990.tif 000039
【０１３１】
は基地局が端末に知らせる値である。
【０１３２】
経路損失
【０１３３】
【化３５】
0006370990.tif 000040
【０１３４】
は端末がｄＢ単位で計算した下りリンク経路損失（又は信号損失）推定値で、
【０１３５】
【化３６】
0006370990.tif 000041
【０１３６】
＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰで表現される。ここで、ｒｅｆｅｒｅｎｃｅＳｉｇｎａｌＰｏｗｅｒは基地局が上位階層を介して端末に知らせることができる。
【０１３７】
【化３７】
0006370990.tif 000042
【０１３８】
はサブフレームインデックス
【０１３９】
【化３８】
0006370990.tif 000043
【０１４０】
に対して現在のＰＵＳＣＨ電力制御調整状態を示す値で、現在の絶対値又は蓄積された値で表現することができる。蓄積（ａｃｃｕｍｕｌａｔｉｏｎ）が上位階層から提供されるパラメーターに基づいてイネーブル（ｅｎａｂｌｅ）されるかあるいはＴＰＣ  ｃｏｍｍａｎｄ
【０１４１】
【化３９】
0006370990.tif 000044
【０１４２】
がＣＲＣが臨時（Ｔｅｍｐｏｒａｒｙ）Ｃ−ＲＮＴＩでスクランブリングされたサービングセル
【０１４３】
【化４０】
0006370990.tif 000045
【０１４４】
に対するＤＣＩフォーマット０と一緒にＰＤＣＣＨに含まれれば
【０１４５】
【化４１】
0006370990.tif 000046
【０１４６】
を満たす。
【０１４７】
【化４２】
0006370990.tif 000047
【０１４８】
はサブフレーム
【０１４９】
【化４３】
0006370990.tif 000048
【０１５０】
でＤＣＩフォーマット０／４又は３／３Ａと一緒にＰＤＣＣＨを介してシグナリングされる。ここで、
【０１５１】
【化４４】
0006370990.tif 000049
【０１５２】
は蓄積値のリセット（ｒｅｓｅｔ）後の一番目値である。
【０１５３】
【化４５】
0006370990.tif 000050
【０１５４】
の値はＬＴＥ標準で次のように定義されている。
【０１５５】
ＦＤＤ（Ｆｒｅｑｕｅｎｃｙ  Ｄｉｖｉｓｉｏｎ  Ｄｕｐｌｅｘ）に対して、
【０１５６】
【化４６】
0006370990.tif 000051
【０１５７】
の値は４である。ＴＤＤで
【０１５８】
【化４７】
0006370990.tif 000052
【０１５９】
の値は次の表３の通りである。
【０１６０】
【表３】
0006370990.tif 000053
【０１６１】
ＤＲＸ状態の場合を除き、毎サブフレームで端末は端末のＣ−ＲＮＴＩを持ってＤＣＩフォーマット０／４のＰＤＣＣＨに対するＤＣＩフォーマットをデコードするか、あるいは端末のＴＰＣ−ＰＵＳＣＨ−ＲＮＴＩを持ってＤＣＩフォーマット３／３ＡのＰＤＣＣＨ及びＳＰＳ  Ｃ−ＲＮＴＩに対するＤＣＩフォーマットをデコードしようと試みる。サービングセルｃに対するＤＣＩフォーマット０／４及びＤＣＩフォーマット３／３Ａは同じサブフレームで検出されれば、端末はＤＣＩフォーマット０／４で提供される
【０１６２】
【化４８】
0006370990.tif 000054
【０１６３】
を用いなければならない。サービングセルｃのためにデコードされるＴＰＣ命令（ｃｏｍｍａｎｄ）がないか、ＤＲＸが生ずるか、又はインデックス
【０１６４】
【化４９】
0006370990.tif 000055
【０１６５】
であるサブフレームがＴＤＤで上りリンクサブフレームではないサブフレームに対し、
【０１６６】
【化５０】
0006370990.tif 000056
【０１６７】
は０ｄＢである。
【０１６８】
ＤＣＩフォーマット０／４と一緒にＰＤＣＣＨ上でシグナリングされる蓄積値は次の表４の通りである。ＰＤＣＣＨがＤＣＩフォーマット０と一緒にＳＰＳ  ａｃｔｉｖａｔｉｏｎを介して認証（ｖａｌｉｄａｔｉｏｎ）されるかあるいはＰＤＣＣＨがリリース（ｒｅｌｅａｓｅ）されると、
【０１６９】
【化５１】
0006370990.tif 000057
【０１７０】
は０ｄＢである。ＤＣＩフォーマット３／３Ａと一緒にＰＤＣＣＨ上でシグナリングされる
【０１７１】
【化５２】
0006370990.tif 000058
【０１７２】
蓄積値は次の表４によるかあるいは上位階層から提供されるＴＰＣ−インデックス（ｉｎｄｅｘ）パラメーターによって決定される次の表５によることができる。
【０１７３】
【表４】
0006370990.tif 000059
【０１７４】
【表５】
0006370990.tif 000060
【０１７５】
サービングセルｃでの伝送最大電力
【０１７６】
【化５３】
0006370990.tif 000061
【０１７７】
に到逹すれば、サービングセルｃに対して正（ｐｏｓｉｔｉｖｅ）のＴＰＣ命令（ｃｏｍｍａｎｄ）が蓄積されない。一方、端末が最低電力に到逹すれば、負（ｎｅｇａｔｉｖｅ）のＴＰＣ命令が蓄積されない。
【０１７８】
次の数式３はＬＴＥシステムにおけるＰＵＣＣＨに対する上りリンク電力制御関連式である。
【０１７９】
【数３】
0006370990.tif 000062
【０１８０】
前記数式３で、
【０１８１】
【化５４】
0006370990.tif 000063
【０１８２】
はサブフレームインデックス、ｃはセル（ｃｅｌｌ）インデックスである。端末が二つのアンテナポート上でＰＵＣＣＨを送信するように上位階層によって設定されていれば、
【０１８３】
【化５５】
0006370990.tif 000064
【０１８４】
の値は上位階層によって端末に提供され、その以外の場合には０である。以下で説明するパラメーターはセルインデックスｃであるサービングセルに対するものである。
【０１８５】
ここで、
【０１８６】
【化５６】
0006370990.tif 000065
【０１８７】
は端末の伝送可能な最大電力を示し、
【０１８８】
【化５７】
0006370990.tif 000066
【０１８９】
はセル−特定（ｃｅｌｌ−ｓｐｅｃｉｆｉｃ）パラメーターの和で構成されたパラメーターで、基地局が上位階層シグナリングによって知らせ、
【０１９０】
【化５８】
0006370990.tif 000067
【０１９１】
は端末がｄＢ単位で計算した下りリンク経路損失（又は信号損失）推定値で、
【０１９２】
【化５９】
0006370990.tif 000068
【０１９３】
＝ｒｅｆｅｒｅｎｃｅＳｉｇｎａｌＰｏｗｅｒ−ｈｉｇｈｅｒ  ｌａｙｅｒ  ｆｉｌｔｅｒｅｄＲＳＲＰで表現される。
【０１９４】
【化６０】
0006370990.tif 000069
【０１９５】
はＰＵＣＣＨフォーマットによって違う値であり、
【０１９６】
【化６１】
0006370990.tif 000070
【０１９７】
はチャネル品質情報（ＣＱＩ）に対する情報ビットの数であり、
【０１９８】
【化６２】
0006370990.tif 000071
【０１９９】
はＨＡＲＱビットの数を示す。
【０２００】
【化６３】
0006370990.tif 000072
【０２０１】
値はＰＵＣＣＨフォーマット１ａに対する相対的な値で、ＰＵＣＣＨフォーマット＃Ｆに対応する値であり、基地局が上位階層シグナリングによって知らせる値である。
【０２０２】
【化６４】
0006370990.tif 000073
【０２０３】
はインデックスサブフレームの現在ＰＵＣＣＨ電力制御調整ステート（ａｄｊｕｓｔｍｅｎｔ  ｓｔａｔｅ）を示す。
【０２０４】
【化６５】
0006370990.tif 000074
【０２０５】
値が上位階層で変更されるとき、
【０２０６】
【化６６】
0006370990.tif 000075
【０２０７】
であり、そうではなければ、
【０２０８】
【化６７】
0006370990.tif 000076
【０２０９】
である。
【０２１０】
【化６８】
0006370990.tif 000077
【０２１１】
はランダムアクセス応答で指示されるＴＰＣ命令（ｃｏｍｍａｎｄ）であり、
【０２１２】
【化６９】
0006370990.tif 000078
【０２１３】
は上位階層から提供する一番目から最後のプリアンブルまで総電力ランプ−アップ（ｒａｍｐ−ｕｐ）に相当する。
【０２１４】
プライマリーセルでの伝送最大電力
【０２１５】
【化７０】
0006370990.tif 000079
【０２１６】
に到逹すれば、プライマリーセルに対して正（ｐｏｓｉｔｉｖｅ）のＴＰＣ命令が蓄積されない。一方、端末が最低電力に到逹すれば、負（ｎｅｇａｔｉｖｅ）のＴＰＣ命令が蓄積されない。端末は
【０２１７】
【化７１】
0006370990.tif 000080
【０２１８】
値が上位階層によって変更されるかランダムアクセス応答メッセージを受信するときに蓄積（ａｃｃｕｍｕｌａｔｉｏｎ）をリセットする。
【０２１９】
一方、次の表６及び表７はＤＣＩフォーマットでのＴＰＣ命令（Ｃｏｍｍａｎｄ）フィールドが指示する
【０２２０】
【化７２】
0006370990.tif 000081
【０２２１】
値を示す。特に、表６はＤＣＩフォーマット３Ａを除いた残りのＤＣＩで指示する
【０２２２】
【化７３】
0006370990.tif 000082
【０２２３】
値で、表７はＤＣＩフォーマット３Ａで指示する
【０２２４】
【化７４】
0006370990.tif 000083
【０２２５】
値である。
【０２２６】
【表６】
0006370990.tif 000084
【０２２７】
【表７】
0006370990.tif 000085
【０２２８】
以下では、Ｄ２Ｄ（ＵＥ−ｔｏ−ＵＥ  Ｃｏｍｍｕｎｉｃａｔｉｏｎ）通信について説明する。
【０２２９】
Ｄ２Ｄ通信方式は大きくネットワーク／コーディネーションステーション（例えば、基地局）の助けを受ける方式とそうではない方式に分けることができる。
【０２３０】
図８を参照すると、図８（ａ）には制御信号（例えば、ｇｒａｎｔ  ｍｅｓｓａｇｅ）、ＨＡＲＱ、チャネル状態情報（Ｃｈａｎｎｅｌ  Ｓｔａｔｅ  Ｉｎｆｏｒｍａｔｉｏｎ）などの送受信にはネットワーク／コーディネーションステーションの介入がなされ、Ｄ２Ｄ通信を行う端末の間にはデータ送受信のみなされる方式が示されている。また、図８（ｂ）にはネットワークは最小限の情報（例えば、該当セルで使用可能なＤ２Ｄ連結（ｃｏｎｎｅｃｔｉｏｎ）情報など）のみ提供するとともにＤ２Ｄ通信を行う端末がリンクを形成してデータ送受信を行う方式が示されている。
【０２３１】
以下、本発明では、Ｄｅｖｉｃｅ−ｔｏ−Ｄｅｖｉｃｅ（つまり、Ｄ２Ｄ）通信が遂行される場合、Ｄ２Ｄシグナルを送信するＵＥ（以下、Ｄ２Ｄ  ＴＸ  ＵＥ）のＤ２Ｄシグナル送信電力（以下、Ｄ２Ｄ  ＳＩＧ  ＴＸ  ＰＯＷＥＲ）を効率的に設定／運営する方法について説明する。本発明で、Ｄ２Ｄ通信はＵＥが他のＵＥと直接（ｄｉｒｅｃｔ）無線チャネルを用いて通信することを意味する。ここで、ＵＥは使用者の端末を意味するが、ｅＮＢのようなネットワーク装備がＵＥ間の通信方式によって信号を送／受信する場合には本発明が適用可能な一種のＵＥとして見なすことができる。また、以下では、説明の便宜のために、３ＧＰＰ  ＬＴＥシステムを基にして本発明を説明する。しかし、本発明が適用されるシステムの範囲は３ＧＰＰ  ＬＴＥシステムの外に他のシステムにも拡張可能である。
【０２３２】
本発明を説明するに先立ち、まずＤ２Ｄ  ＳＩＧ  ＴＸ  ＰＯＷＥＲ設定について説明する。
【０２３３】
●モード１  Ｄ２Ｄ通信のために上りリンク基準値は以下の条件を考慮することができる。
【０２３４】
−モード１  Ｄ２Ｄ通信のためのＰ０の値とα値はｅＮＢによって設定される。
【０２３５】
・  Ｄ２Ｄ通信のためのＰ０及びαはＷＡＮ通信のためのＰ０及びαと違うこともある。
【０２３６】
−ｅＮＢ−ＵＥの間の経路損失はＵＥ−ＵＥ経路損失として使われない。
【０２３７】
−ＸビットのＴＰＣ命令（ＴＰＣ  ｃｏｍｍａｎｄ）はＤ２Ｄグラントを介して送信される。
【０２３８】
−また、スケジューリング割当て（ＳＡ）とデータの間に同じ電力制御パラメーターの適用可否、累積（ａｃｃｕｍｕｌａｔｅ）電力制御あるいは非累積（ａｂｓｏｌｕｔｅ）電力制御可否、セルラと違うブースティング範囲（ｂｏｏｓｔｉｎｇ  ｒａｎｇｅ）を考慮することができる。
【０２３９】
−最大電力伝送は許されない。
【０２４０】
●開ループ電力制御はモード２通信、タイプ１／タイプ２ディスカバリーを行うカバレージ内の（ｉｎ−ｃｏｖｅｒａｇｅ）端末に具体的に開示されている。
【０２４１】
−Ｐ０の値とαは上位階層によってシグナリングされる。
【０２４２】
・  Ｄ２Ｄ通信のためのＰ０及びαはＷＡＮ通信のためのＰ０及びαと違うこともある。ここで、αの値の一つとして‘０’が存在し、Ｐｃｍａｘの伝送のためのＰ０及びαは全てのＵＥによって支援可能である。
【０２４３】
表８は（他の帯域幅に対するインターポレーション（ｉｎｔｅｒｐｏｌａｔｉｏｎ）を考慮した）Ｄ２Ｄグラントを説明する。
【０２４４】
【表８】
0006370990.tif 000086
【０２４５】
−スケジューリング割当てリソースインデックスは、スケジューリング割当てリソースプールのインデックスであり、時間／周波数次元を全て指示する。また、前記リソースプール上でのインデックスマッピング可否は前もって決定することもできるが、上位階層でシグナリングされることもできる。
【０２４６】
−ＴＰＣビットは最大可用電力（ｍａｘｉｍｕｍ  ａｖａｉｌａｂｌｅ  ｐｏｗｅｒ）及び開ループ電力制御（ｏｐｅｎ−ｌｏｏｐ  ｐｏｗｅｒ  ｃｏｎｔｒｏｌ）を転換（ｓｗｉｔｃｈ）する。
【０２４７】
−モード１及びモード２で、Ｄ２Ｄグラント及びスケジューリング割当て（ＳＡ）上のＴ−ＲＰＴ（Ｔｉｍｅ−Ｒｅｓｏｕｒｃｅ  Ｐａｔｔｅｒｎ  Ｔｙｐｅ）フィールドは７ビットである。
【０２４８】
−モード１グラントは、モード１グラントが送信されたサブフレームの少なくとも４ｍｓ以後に始まるスケジューリング割当て（ＳＡ）リソースプールの次のインストンス（ｉｎｓｔａｔｎｃｅ）を指示する。
【０２４９】
Ｄ２Ｄ伝送電力設定はＷＡＮ  ＵＬ通信関連伝送電力の設定に（全然）影響を与えない。
【０２５０】
前述した内容を基にして、本発明では上述したＤ２Ｄ信号伝送電力に基づいて、さらにＤ２Ｄ  ＴＸ  ＵＥのＤ２Ｄ  ＳＩＧ  ＴＸ  ＰＯＷＥＲを効率的に設定／運営する方法を説明する。
【０２５１】
例えば、Ｄ２Ｄ  ＴＸ  ＵＥがＤ２Ｄシグナル送信に実際に放出（Ｅｍｉｓｓｉｏｎ）した電力値とＤ２Ｄ  ＴＸ  ＵＥが放出したと仮定する電力値の間には差（以下、ＴＸ  ＰＯＷＥＲ  ＳＥＴＴＩＮＧ  ＥＲＲＯＲ）があることができる。ここで、該当ＴＸ  ＰＯＷＥＲ  ＳＥＴＴＩＮＧ  ＥＲＲＯＲはハードウェア（例えば、増幅器）の特性及び／又はその他の変数パラメーター（例えば、温度）などによって発生し得る。
【０２５２】
言い替えれば、Ｄ２Ｄ  ＴＸ  ＵＥの観点では、Ｄ２Ｄシグナル送信にＸ［ｄＢｍ］電力を放出したと仮定するものの、実際に放出された電力は（Ｘ＋Δ）［ｄＢｍ］（例えば、−Ｙ≦Δ≦＋Ｙ、ここで、Ｙは０以上の実数）となることができる。ここで、該当Δ変数がＴＸ  ＰＯＷＥＲ  ＳＥＴＴＩＮＧ  ＥＲＲＯＲを示す。
【０２５３】
本発明で、Ｐ０パラメーターは、Ｄ２Ｄ通信のために独立的に設定されるかシグナリングされたＰ０＿ＵＥ＿Ｄ２Ｄ及び／又はＰ０＿ＮＯＭＩＮＡＬ＿Ｄ２Ｄパラメーターを意味することができる。ここで、Ｐ０＿ＵＥ＿Ｄ２Ｄ及び／又はＰ０＿ＮＯＭＩＮＡＬ＿Ｄ２Ｄパラメーターは、ＷＡＮ  ＵＬ通信関連Ｐ０＿ＵＥ＿ＰＵＳＣＨ及び／又はＰ０＿ＮＯＭＩＮＡＬ＿ＰＵＳＣＨパラメーターに前もって定義されるかシグナリングされたオフセット値が適用されて計算／導出されることもできる。若しくは、該当Ｐ０＿ＵＥ＿Ｄ２Ｄ及び／又はＰ０＿ＮＯＭＩＮＡＬ＿Ｄ２Ｄパラメーターは前もって定義されたシグナル（例えば、ＳＩＢシグナルあるいはＲＲＣシグナリング）によってＤ２Ｄ  ＵＥに伝達されるかあるいは前もって特定の値に定義されることもできる。
【０２５４】
また、本発明で、ＰＭＡＸ＿Ｄ２Ｄパラメーターは、Ｄ２Ｄ通信を行うＵＥ（あるいはＤ２Ｄ通信が設定されたサービングセル）の観点で許されるか指定された最大Ｄ２Ｄ電力（ＭＡＸＩＭＵＭ  Ｄ２Ｄ  ＰＯＷＥＲ）及び／又は最大可用Ｄ２Ｄ電力（ＭＡＸＩＭＵＭ  ＡＶＡＩＬＡＢＬＥ  Ｄ２Ｄ  ＰＯＷＥＲ）を示すことができる。ここで、ＰＭＡＸ＿Ｄ２ＤパラメーターはＷＡＮ  ＵＬ通信関連ＰＣＭＡＸ（あるいはＰＣＭＡＸ、ｃ）パラメーターに前もって定義されるかシグナリングされたオフセット値が適用されて計算／導出されることもできる。若しくは、該当ＰＭＡＸ＿Ｄ２Ｄパラメーターは前もって定義されたシグナル（例えば、ＳＩＢシグナルあるいはＲＲＣシグナリング）によってＤ２Ｄ  ＵＥに伝達されるかあるいは前もって定義された特定の値に前もって定義されることもできる。
【０２５５】
（第１方案）
本発明の第１方案によると、ＲＲＣ＿ＩＤＬＥ  ＭＯＤＥにあるＤ２Ｄ  ＴＸ  ＵＥのＤ２Ｄ  ＳＩＧ  ＴＸ  ＰＯＷＥＲはＲＲＣ＿ＣＯＮＮＥＣＴＥＤ  ＭＯＤＥにある場合に比べ、相対的に保守的（Ｃｏｎｓｅｒｖａｔｉｖｅ）に設定されることができる。
【０２５６】
本発明によると、上述したＴＸ  ＰＯＷＥＲ  ＳＥＴＴＩＮＧ  ＥＲＲＯＲ範囲（例えば、−Ｙ≦Δ≦＋Ｙ、ここで、Ｙは０以上の実数）を考慮し、ＲＲＣ＿ＩＤＬＥ  ＭＯＤＥにあるＤ２Ｄ  ＴＸ  ＵＥのＰ０“パラメーターを（Ｐ０’−Ｙ）［ｄＢｍ］に設定することができる。ここで、Ｐ０’パラメーターはＲＲＣ＿ＣＯＮＮＥＣＴＥＤ  ＭＯＤＥにあるＤ２Ｄ  ＴＸ  ＵＥのＰ０パラメーターを示す。
【０２５７】
若しくは、ＲＲＣ＿ＩＤＬＥ  ＭＯＤＥにあるＤ２Ｄ  ＴＸ  ＵＥのＰＭＡＸ＿Ｄ２Ｄ”パラメーターを（ＰＭＡＸ＿Ｄ２Ｄ’−Ｙ）［ｄＢｍ］に設定することができる。ここで、ＰＭＡＸ＿Ｄ２Ｄ’パラメーターはＲＲＣ＿ＣＯＮＮＥＣＴＥＤ  ＭＯＤＥにあるＤ２Ｄ  ＴＸ  ＵＥのＰＭＡＸ＿Ｄ２Ｄパラメーターを示す。ここで、ＰＭＡＸ＿Ｄ２ＤはＤ２Ｄ通信のために設定される最大伝送電力を示すものであり、ＰＣＭＡＸ、ＰＳＳＣＨ及び／又はＰＣＭＡＸ、ＰＳＣＣＨ及び／又はＰＣＭＡＸ、ＰＳＤＣＨ及び／又はＰＣＭＡＸ、ＰＳＢＣＨ及び／又はＰＣＭＡＸ、ＳＳＳＳの中で少なくとも一つを意味することができ、また、前もって定義されたシグナリング（例えば、上位階層シグナリング、物理階層シグナリングなど）によって端末に知らせることができる。
【０２５８】
また、第１方案のためのオフセットパラメーター（以下、ＯＦＦＳＥＴ＿１という）をさらに定義し、該当ＯＦＦＳＥＴ＿１パラメーター（すなわち、ＯＦＦＳＥＴ＿１＝−Ｙ）がＲＲＣ＿ＩＤＬＥ  ＭＯＤＥにあるＤ２Ｄ  ＴＸ  ＵＥのＤ２Ｄ  ＯＬＰＣ計算値に最終に適用（あるいは加算）されるように設定されるか、あるいは（ＰＭＡＸ＿Ｄ２Ｄ’＋ＯＦＦＳＥＴ＿１）の値にＲＲＣ＿ＩＤＬＥ  ＭＯＤＥにあるＤ２Ｄ  ＴＸ  ＵＥのＰＭＡＸ＿Ｄ２Ｄ”パラメーターが設定されることもできる。
【０２５９】
このような方法は、相対的に大きなＴＸ  ＰＯＷＥＲ  ＳＥＴＴＩＮＧ  ＥＲＲＯＲ値を想定／考慮し、ＲＲＣ＿ＩＤＬＥ  ＭＯＤＥにあるＤ２Ｄ  ＴＸ  ＵＥのＤ２Ｄ  ＳＩＧ  ＴＸ  ＰＯＷＥＲを保守的に設定したものと解釈することができる。これにより、ＲＲＣ＿ＩＤＬＥ  ＭＯＤＥにあるＤ２Ｄ  ＴＸ  ＵＥのＤ２Ｄシグナル伝送で発生するＷＡＮ  ＵＬ通信への干渉を減少／制限することができる。例えば、ＲＲＣ＿ＩＤＬＥ  ＭＯＤＥにあるＤ２Ｄ  ＵＥはｅＮＢによってＤ２Ｄシグナル送信のための電力制御が（半）動的に（あるいは効率的に）遂行されにくいから、Ｄ２Ｄ  ＵＥのＤ２Ｄシグナル送信電力範囲を保守的に（あるいは相対的に小さく）設定することにより、ＷＡＮ  ＵＬ通信に及ぶ干渉の影響を減らすことができる。
【０２６０】
また、ＲＲＣ＿ＩＤＬＥ  ＭＯＤＥにあるＤ２Ｄ  ＴＸ  ＵＥのＰ０”パラメーターを（Ｐ０’＋Ｙ）［ｄＢｍ］に設定するかあるいはＰＭＡＸ＿Ｄ２Ｄ”パラメーターを（ＰＭＡＸ＿Ｄ２Ｄ’＋Ｙ）［ｄＢｍ］に設定するかあるいは上述したＯＦＦＳＥＴ＿１パラメーターを＋Ｙに設定（すなわち、非保守的方法）することもできる。
【０２６１】
（第２方案）
本発明によると、ＲＲＣ＿ＣＯＮＮＥＣＴＥＤ  ＭＯＤＥにあるＤ２Ｄ  ＴＸ  ＵＥのＤ２Ｄ  ＳＩＧ  ＴＸ  ＰＯＷＥＲはＷＡＮ  ＵＬ通信関連ＴＰＣ（Ｔｒａｎｓｍｉｓｓｉｏｎ  Ｐｏｗｅｒ  Ｃｏｎｔｒｏｌ）パラメーターの変化を考慮して（再）調整されることもできる。
【０２６２】
ここで、ＷＡＮ  ＵＬ通信関連ＴＰＣパラメーターは、前もって定義されたＰＵＳＣＨ伝送電力設定関連パラメーター（例えば、ｆｃ（・）、Ｐ０＿ＵＥ＿ＰＵＳＣＨ、ｃ、Ｐ０＿ＮＯＭＩＮＡＬ＿ＰＵＳＣＨ、ｃ、αｃ（・）、ΔＴＦ、ｃ（・）、ＭＰＵＳＣＨ、ｃ（・）など）の少なくとも一部（すなわち、一部又は全部）を意味するか、あるいは前もって定義されたＰＵＣＣＨ伝送電力設定関連パラメーター（例えば、ｇ（・）、Ｐ０＿ＵＥ＿ＰＵＣＣＨ、Ｐ０＿ＮＯＭＩＮＡＬ＿ＰＵＣＣＨ、ｈ（・）、ΔＦ＿ＰＵＣＣＨ（・）、ΔＴｘＤ（・）など）の少なくとも一部（すなわち、一部又は全部）を意味することができる。
【０２６３】
本方案に対する一例として、ｆｃ（・）（あるいはｇ（・））パラメーターが正の値を示す場合、（Ｐ０”＋Ｑ（・））［ｄＢｍ］の形態にＲＲＣ＿ＣＯＮＮＥＣＴＥＤ  ＭＯＤＥにあるＤ２Ｄ  ＴＸ  ＵＥのＰ０’パラメーターを設定するように設定されるかあるいは（ＰＭＡＸ＿Ｄ２Ｄ”＋Ｑ（・））［ｄＢｍ］の形態にＲＲＣ＿ＣＯＮＮＥＣＴＥＤ  ＭＯＤＥにあるＤ２Ｄ  ＴＸ  ＵＥのＰＭＡＸ＿Ｄ２Ｄ’パラメーターを設定するように設定されることができる。
【０２６４】
すなわち、第２方案を適用すると、サービングセル／基地局がＰＵＳＣＨ（及び／又はＰＵＣＣＨ）ＴＰＣ過程により、該当Ｄ２Ｄ  ＵＥでのＴＸ  ＰＯＷＥＲ  ＳＥＴＴＩＮＧ  ＥＲＲＯＲを概略で把握することができる。これにより、該当ＴＸ  ＰＯＷＥＲ  ＳＥＴＴＩＮＧ  ＥＲＲＯＲが大きくないか、あるいは前もって定義されるかシグナリングされた閾値より小さければ、相対的に大きなＴＸ  ＰＯＷＥＲ  ＳＥＴＴＩＮＧ  ＥＲＲＯＲ値を想定して保守的に設定（すなわち、第１方案）されたＲＲＣ＿ＩＤＬＥ  ＭＯＤＥでのＤ２Ｄ  ＳＩＧ  ＴＸ  ＰＯＷＥＲよりは高い値を設定／適用しても、実際にＷＡＮ  ＵＬ通信への干渉は依然として許容可能（すなわち、ＴＯＬＥＲＡＢＬＥ）であるからである。
【０２６５】
また、Ｑ（・）は少なくともｆｃ（・）（あるいはｇ（・））パラメーターを入力変数として有する関数を意味し、以下で例示＃２−１あるいは例示＃２−２の形態に定義されることができる。ここで、下の例示はＱ（・）がｆｃ（・）パラメーターのみを入力変数として有する場合を示し、特に、ｆｃ（・）パラメーターが正の値を示す状況に使われることができる。
【０２６６】
−例示＃２−１
Ｑ（ｆｃ（・））＝ａ（ｆｃ（・）
ここで、ａは実数値であり、前もってシグナリングされるか固定された特定の値に設定されることができる。
【０２６７】
−例示＃２−２
Ｑ（ｆｃ（・））＝ＭＡＸ（Ｗ１、ＭＩＮ（Ｗ２、ｆｃ（・）））
ここで、ＭＩＮ（・）は入力パラメーターの中で小さな値を導出する関数、ＭＡＸ（・）は入力パラメーターの中で大きな値を導出する関数を示す。また、Ｗ１はＲＲＣ＿ＣＯＮＮＥＣＴＥＤ  ＭＯＤＥにあるＤ２Ｄ  ＴＸ  ＵＥがＲＲＣ＿ＩＤＬＥ  ＭＯＤＥに比べて高い伝送電力値を設定／適用するために、前もってシグナリングされるか固定された特定の値（例えば、０［ｄＢ］）に設定されることができる。また、Ｗ２はＲＲＣ＿ＣＯＮＮＥＣＴＥＤ  ＭＯＤＥにあるＤ２Ｄ  ＴＸ  ＵＥが（ＲＲＣ＿ＩＤＬＥ  ＭＯＤＥでの伝送電力に比べ）さらに適用することができる正の電力オフセットの最大値を示し、前もってシグナリングされるか固定された特定の値（例えば、３［ｄＢ］）に設定されることができる。
【０２６８】
また、上述した第１方案で説明したＯＦＦＳＥＴ＿１パラメーター（すなわち、ＯＦＦＳＥＴ＿１＝＋Ｑ（・））が、ＲＲＣ＿ＣＯＮＮＥＣＴＥＤ  ＭＯＤＥにあるＤ２Ｄ  ＴＸ  ＵＥのＤ２Ｄ  ＯＬＰＣ計算値に最終に適用／加算されるように設定されるか、あるいは（ＰＭＡＸ＿Ｄ２Ｄ”＋ＯＦＦＳＥＴ＿１）の値にＲＲＣ＿ＣＯＮＮＥＣＴＥＤ  ＭＯＤＥにあるＤ２Ｄ  ＴＸ  ＵＥのＰＭＡＸ＿Ｄ２Ｄ’パラメーターが設定されることもできる。
【０２６９】
また、ｆｃ（・）パラメーターが負の値を示す場合、（Ｐ０”−Ｑ（・））［ｄＢｍ］の形態にＲＲＣ＿ＣＯＮＮＥＣＴＥＤ  ＭＯＤＥにあるＤ２Ｄ  ＴＸ  ＵＥのＰ０’パラメーターが設定されるかあるいは（ＰＭＡＸ＿Ｄ２Ｄ”−Ｑ（・））［ｄＢｍ］の形態にＲＲＣ＿ＣＯＮＮＥＣＴＥＤ  ＭＯＤＥにあるＤ２Ｄ  ＴＸ  ＵＥのＰＭＡＸ＿Ｄ２Ｄ’パラメーターを設定するかあるいは前述したＯＦＦＳＥＴ＿１パラメーターを−Ｑ（・）に設定することもできる。
【０２７０】
さらに他の一例として、ｆｃ（・）パラメーターが負の値を示す場合、前述した例示＃２−１でのａ及び／又は例示＃２−２でのＷ１、Ｗ２は、ｆｃ（・）パラメーターが正の値を示す場合とは独立的な（例えば、違う）値（例えば、負の値）に設定されることもでき、また該当値は前もって定義されたシグナル（例えば、ＳＩＢシグナルあるいはＲＲＣシグナリング）によってＤ２Ｄ  ＵＥに伝達されるかあるいは前もって特定の値に定義されることもできる。
【０２７１】
また、ｆｃ（・）パラメーターが負の値を示す場合、前述した例示＃２−２のＱ（ｆｃ（・））はＭＩＮ（Ｗ１、ＭＡＸ（Ｗ２、ｆｃ（・））に定義されることもできる。ここで、Ｗ１はＲＲＣ＿ＣＯＮＮＥＣＴＥＤ  ＭＯＤＥにあるＤ２Ｄ  ＴＸ  ＵＥがＲＲＣ＿ＩＤＬＥ  ＭＯＤＥに比べて低い伝送電力値を設定／適用するために、前もってシグナリングされるか固定された特定の値（例えば、負の値あるいは０の値）に設定されることができる。また、Ｗ２はＲＲＣ＿ＣＯＮＮＥＣＴＥＤ  ＭＯＤＥにあるＤ２Ｄ  ＴＸ  ＵＥが（ＲＲＣ＿ＩＤＬＥ  ＭＯＤＥでの伝送電力に比べ）さらに適用することができる負の電力オフセットの最小値を示し（例えば、Ｗ１が０の値に設定された場合に有効）、前もってシグナリングされるか固定された特定の値に設定されることができる。
【０２７２】
さらに他の一例として、ｆｃ（・）パラメーターが負の値を示す場合、前述した例示＃２−１及び／又は例示＃２−２のＱ（ｆｃ（・））は０の値に設定されることができる。これはＲＲＣ＿ＣＯＮＮＥＣＴＥＤ  ＭＯＤＥにあるＤ２Ｄ  ＴＸ  ＵＥがＲＲＣ＿ＩＤＬＥ  ＭＯＤＥに比べて低い伝送電力値を設定／適用しないようにすることと解釈可能である。ここで、同じ効果（あるいは結果）を得るために、前述した例示＃２−２（すなわち、Ｑ（ｆｃ（・））＝ＭＡＸ（Ｗ１、ＭＩＮ（Ｗ２、ｆｃ（・）））上のＷ１値を０に設定することもできる。これは、ＭＩＮ（Ｗ２、ｆｃ（・））が負の値を有するからである。
【０２７３】
さらに他の一例として、ｆｃ（・）パラメーターが正の値を示す場合、前述した例示＃２−１及び／又は例示＃２−２のＱ（ｆｃ（・））は０の値に設定されることができる。これは、ＲＲＣ＿ＣＯＮＮＥＣＴＥＤ  ＭＯＤＥにあるＤ２Ｄ  ＴＸ  ＵＥがＲＲＣ＿ＩＤＬＥ  ＭＯＤＥに比べて高い伝送電力値を設定／適用しないようにすることと解釈可能である。また、ｆｃ（・）パラメーターが０の値を示す場合、ｆｃ（・）パラメーターが正の値を示す時に用いる方法、あるいは負の値を示す時に用いる方法を同様に再び使うこともできる。
【０２７４】
また、ＲＲＣ＿ＣＯＮＮＥＣＴＥＤ  ＭＯＤＥにあるＤ２Ｄ  ＴＸ  ＵＥのＤ２Ｄ  ＳＩＧ  ＴＸ  ＰＯＷＥＲは、ｉ）（ＰＵＳＣＨあるいはＰＵＣＣＨ  ＴＲＡＮＳＭＩＴ  ＰＯＷＥＲ関連）ＴＰＣ  ＶＡＬＵＥ、あるいはｉｉ）（ＰＵＳＣＨあるいはＰＵＣＣＨ  ＴＲＡＮＳＭＩＴ  ＰＯＷＥＲ関連）ＴＰＣ  ＶＡＬＵＥの関数（例えば、Ｑ（・））によってのみ調節されるように設定されることもできる。
【０２７５】
さらに他の一例として、ＲＲＣ＿ＣＯＮＮＥＣＴＥＤ  ＭＯＤＥにあるＤ２Ｄ  ＴＸ  ＵＥのＤ２Ｄ  ＳＩＧ  ＴＸ  ＰＯＷＥＲは、ｉ）ＰＵＳＣＨのＴＲＡＮＳＭＩＴ  ＰＯＷＥＲ及び／又はＰＯＷＥＲ  ＳＰＥＣＴＲＡＬ  ＤＥＮＳＩＴＹの関数（例えば、Ｑ（・））、あるいはｉｉ）ＰＵＣＣＨのＴＲＡＮＳＭＩＴ  ＰＯＷＥＲ及び／又はＰＯＷＥＲ  ＳＰＥＣＴＲＡＬ  ＤＥＮＳＩＴＹの関数によってのみ調節されるように設定されることもできる。
【０２７６】
（第３方案）
本発明によると、Ｄ２Ｄシグナル別に適用（あるいは利用）されるタイミングレファレンス（以下、ＴＩＭＩＮＧ＿ＲＥＦ）が違うことができる。このような状況の下で、相異なるＴＩＭＩＮＧ＿ＲＥＦが適用されるＤ２Ｄシグナル別に、違う伝送電力レファレンス（以下、ＰＯＷＥＲ＿ＲＥＦ）が利用（あるいは仮定）されるように設定されることができる。
【０２７７】
ここで、Ｄ２Ｄ  ＳＡ（Ｓｃｈｅｄｕｌｉｎｇ  Ａｓｓｉｇｎｍｅｎｔ）伝送、ＴＹＰＥ  １  Ｄ２Ｄ  ＤＩＳＣＯＶＥＲＹ伝送はＤ２Ｄ  ＵＥに対するＤＬタイミングに従い、ＭＯＤＥ１  Ｄ２Ｄ  ＣＯＭＭＵＮＩＣＡＴＩＯＮ伝送はＤ２Ｄ  ＵＥに対するＵＬタイミングに従うことができる。
【０２７８】
本発明の具体的な実施例は例示＃３−１あるいは例示＃３−２のようである。ここで、該当ＰＯＷＥＲ＿ＲＥＦは、特定のＤ２Ｄ  ＵＥの観点でＤ２Ｄシグナルが送信されるＳＦ＃ｉ時点で実際にＷＡＮ  ＵＬシグナル伝送が遂行されてはいないが、最終Ｄ２Ｄ  ＳＩＧ  ＴＸ  ＰＯＷＥＲ値を計算するためにＤ２Ｄ  ＵＥが仮想的に参照するか基準値と仮定することになるＷＡＮ  ＵＬ電力値を意味する。言い替えれば、一種のＰＯＷＥＲ  ＲＥＦＥＲＥＮＣＥ  ＨＹＰＯＴＨＥＳＩＳと解釈することもできる。また、Ｄ２Ｄ  ＵＥは、該当ＰＯＷＥＲ＿ＲＥＦに前もって定義されるかシグナリングされた電力オフセットを適用（あるいは加算）し、最終Ｄ２Ｄ  ＳＩＧ  ＴＸ  ＰＯＷＥＲ値を計算／導出することができる。
【０２７９】
すなわち、第３方案は、それぞれのＤ２Ｄ  ＵＥに対応するＤ２ＤシグナルのＴＩＭＩＮＧ＿ＲＥＦが違うこともあることを考慮し、ＷＡＮ  ＵＬのタイミングレファレンスを決定する方式をＤ２Ｄシグナル送受信に適用させるものと解釈されることができる。これにより、本方案によると、Ｄ２Ｄ通信を遂行してもＷＡＮ通信に対する影響を最小化することができる。より具体的に、既存ＷＡＮの場合、基地局に近接したＵＥは電力を少なく使い、基地局から遠く離れたＵＥは電力を多く使う。これは、基地局で受信される信号強度（すなわち、ＲＥＣＥＩＶＥＤ  ＰＯＷＥＲ）が一定になるようにするとともに、基地局に近接したＵＥが電力を多く使うことになる場合に発生し得る他の基地局（例えば、遠く離れたＵＥ）に対する影響を減少させるためである。よって、本発明では、ＷＡＮのタイミングレファレンス方式をＤ２Ｄシグナル送受信にも適用することで、Ｄ２Ｄ通信に参加しない他のＤ２Ｄ  ＵＥに対する影響を減少させ、既存ＷＡＮとの逆互換性を維持する効果を有することができる。
【０２８０】
例示＃３−１：ＤＬタイミングによるＤ２Ｄシグナルは、前もって定義されたＰＵＣＣＨ基盤のＰＯＷＥＲ＿ＲＥＦを用いるように設定されることができる。ここで、一例として、Ｄ２Ｄシグナル伝送がＳＦ＃ｉ時点で遂行されると仮定することができる。
【０２８１】
−例えば、ＰＵＣＣＨ基盤のＰＯＷＥＲ＿ＲＥＦはＭＩＮ｛ＰＣＭＡＸ、ｃ（ｉ）、Ｐ０＿ＰＵＣＣＨ＋ＰＬｃ＋ｇ（ｉ）｝［ｄＢｍ］として計算／導出されることができる。ここで、このような数式はＰＣｅｌｌでＰＵＣＣＨ伝送が行われない状況の下で、ＰＵＣＣＨ関連受信ＴＰＣ命令（ＲＥＣＥＩＶＥＤ  ＴＰＣ  ＣＯＭＭＡＮＤ）を適用（あるいは加算）するとき、ＵＥが用いることになる数式と同一である。また、同じＰＯＷＥＲ＿ＲＥＦを前記数式３のような既存ＰＵＣＣＨ伝送電力計算数式で、前もって定義された規則に従って一部のパラメーター（すなわち、ｈ（ｎＣＱＩ、ｎＨＡＲＱ、ｎＳＲ）、ΔＦ＿ＰＵＣＣＨ（Ｆ）、ΔＴｘＤ（Ｆ’））を０［ｄＢ］の値に設定することによって得ることもできる。
【０２８２】
すなわち、上述した数式３をまた参照すると、
ＰＰＵＣＣＨ（ｉ）＝ＭＩＮ｛ＰＣＭＡＸ、ｃ（ｉ）、（Ｐ０＿ＰＵＣＣＨ＋ＰＬｃ＋ｈ（ｎＣＱＩ、ｎＨＡＲＱ、ｎＳＲ）、ΔＦ＿ＰＵＣＣＨ（Ｆ）、ΔＴｘＤ（Ｆ’）＋ｇ（ｉ））｝［ｄＢｍ］
ここで、ｈ（ｎＣＱＩ、ｎＨＡＲＱ、ｎＳＲ）パラメーターを０［ｄＢ］の値として見なすことは、Ｄ２Ｄ  ＵＥが実際にＰＵＣＣＨ伝送に使う設定された（ＣＯＮＦＩＧＵＲＥＤ）ＰＵＣＣＨフォーマットに構わず、ＰＯＷＥＲ＿ＲＥＦ計算時にはＰＵＣＣＨフォーマット１／１ａ／１ｂが設定されたもののように仮定すると解釈可能である。
【０２８３】
また、ΔＴｘＤ（Ｆ’）パラメーターを０［ｄＢ］の値として見なすことは、Ｄ２Ｄ  ＵＥが実際にＰＵＣＣＨ伝送に２ポート（ＰＯＲＴ）が使われる（ＴＸＤ）ことに構わず、ＰＯＷＥＲ＿ＲＥＦ計算時にはＴＸＤが設定されなかったもののように仮定すると解釈可能である。
【０２８４】
また、ΔＦ＿ＰＵＣＣＨ（Ｆ）パラメーターは実際ＰＵＣＣＨ伝送にどんなＰＵＣＣＨフォーマット使用が設定（Ｃｏｎｆｉｇｕｒａｔｉｏｎ）されたかによって、（ＰＯＷＥＲ＿ＲＥＦ計算時に）違う値と仮定されることもできる。具体的な一例として、ＰＵＣＣＨフォーマット３が設定された場合にはΔＦ＿ＰＵＣＣＨ（Ｆ）パラメーターが０［ｄＢ］と仮定され、ＰＵＣＣＨフォーマット１ｂ（ＷＩＴＨ  ＣＨＡＮＮＥＬ  ＳＥＬＥＣＴＩＯＮ）が設定された場合にはΔＦ＿ＰＵＣＣＨ（Ｆ）パラメーターが１［ｄＢ］と仮定されることもできる。また、ΔＴｘＤ（Ｆ’）パラメーターは例外的に（０［ｄＢ］ではない）２［ｄＢ］の値と仮定されるかあるいは実際ＰＵＣＣＨ伝送に２ポートが使われる（ＴＸＤ）ことにより、ＰＯＷＥＲ＿ＲＥＦ計算時に違う値と仮定されることもできる。後者に対する具体的な一例として、ＴＸＤが設定された場合にはΔＴｘＤ（Ｆ’）パラメーターが２［ｄＢ］と仮定され、ＴＸＤが設定されなかった場合にはΔＴｘＤ（Ｆ’）パラメーターが０［ｄＢ］と仮定されることもできる。
【０２８５】
例示＃３−２：ＵＬタイミングによるＤ２Ｄシグナルは前もって定義されたＰＵＳＣＨ基盤のＰＯＷＥＲ＿ＲＥＦを用いるように設定されることができる。ここで、Ｄ２Ｄシグナル伝送がＳＦ＃ｉ時点で遂行されると仮定する。
【０２８６】
−例えば、ＰＵＳＣＨ基盤のＰＯＷＥＲ＿ＲＥＦはＭＩＮ｛ＰＣＭＡＸ、ｃ（ｉ）、Ｐ０＿ＰＵＳＣＨ、ｃ（１）＋αｃ（１）・（ＰＬｃ＋ｆｃ（ｉ）｝［ｄＢｍ］として計算／導出されることができる。ここで、このような数式は、サービングセルでＰＵＳＣＨ伝送が遂行されない状況の下でＰＵＳＣＨ関連受信ＴＰＣ命令（ＲＥＣＥＩＶＥＤ  ＴＰＣ  ＣＯＭＭＡＮＤ）（例えば、ＤＣＩフォーマット３／３Ａ）を適用（あるいは加算）するとき、ＵＥが用いることになる数式と同一である。また、同じＰＯＷＥＲ＿ＲＥＦを上述した数式１のような既存ＰＵＳＣＨ伝送電力計算数式上で、前もって定義された規則に従ってΔＴＦ、ｃ（ｉ）パラメーターを０［ｄＢ］の値と設定し、ＭＰＵＳＣＨ、ｃ（ｉ）パラメーターを１の値と設定し、ｊパラメーターを１の値と設定することによって得ることもできる。
【０２８７】
上述した数式１をまた参照すると、
ＰＰＵＳＣＨ（ｉ）＝ＭＩＮ｛ＰＣＭＡＸ、ｃ（ｉ）、（１０・（ｌｏｇ１０（ＭＰＵＳＣＨ、ｃ（ｉ））＋Ｐ０＿ＰＵＳＣＨ、ｃ（ｊ）＋αｃ（ｊ）・（ＰＬｃ＋ΔＴＦ、ｃ（ｉ）＋ｆｃ（ｉ））｝［ｄＢｍ］
ここで、一例として、ΔＴＦ、ｃ（ｉ）パラメーターを０［ｄＢ］の値として見なすことは、Ｄ２Ｄ  ＵＥがｄｅｌｔａＭＣＳ−Ｅｎａｂｌｅｄパラメーターによって設定される実際Ｋｓ値に構わず、ＰＯＷＥＲ＿ＲＥＦ計算時にはｄｅｌｔａＭＣＳ適用が未設定（Ｄｉｓａｂｌｅｄ）されたもののように仮定（すなわち、Ｋｓ＝０）するとも解釈されることができる。また、ＭＰＵＳＣＨ、ｃ（ｉ）パラメーターは例外的に（１ではない）該当Ｄ２Ｄシグナル伝送の基本リソースユニット（Ｂａｓｉｃ  Ｒｅｓｏｕｒｃｅ  Ｕｎｉｔ）を構成するリソースブロック個数と仮定されることもできる。
【０２８８】
（第４方案）
Ｄ２Ｄシグナル別に適用（あるいは利用）される相異なるＴＩＭＩＮＧ＿ＲＥＦに構わず、Ｄ２ＤシグナルのＰＯＷＥＲ＿ＲＥＦ計算時には第３方案で説明したＰＵＣＣＨ基盤のＰＯＷＥＲ＿ＲＥＦ（あるいはＰＵＳＣＨ基盤のＰＯＷＥＲ＿ＲＥＦ）が用いられることもできる。
【０２８９】
また、ＤＬタイミングによるＤ２ＤシグナルのＰＯＷＥＲ＿ＲＥＦ計算時には第３方案で説明したＰＵＳＣＨ基盤のＰＯＷＥＲ＿ＲＥＦを用い、ＵＬタイミングによるＤ２ＤシグナルのＰＯＷＥＲ＿ＲＥＦ計算時には第３方案で説明したＰＵＣＣＨ基盤のＰＯＷＥＲ＿ＲＥＦを用いるように設定されることもできる。
【０２９０】
若しくは、Ｄ２Ｄシグナルのタイプ（あるいは用途）別に違うＰＯＷＥＲ＿ＲＥＦが利用（あるいは仮定）されるように設定されることもできる。例えば、相対的に重要な情報（例えば、制御情報）伝送用途のＤ２Ｄシグナル（例えば、ＳＡ、Ｄ２ＤＳＳ）はＰＵＣＣＨ基盤のＰＯＷＥＲ＿ＲＥＦを用い、残りの他の情報（例えば、データ）伝送用途のＤ２Ｄシグナル（例えば、Ｄ２Ｄ  ＤＡＴＡ  ＣＨＡＮＮＥＬ）はＰＵＳＣＨ基盤のＰＯＷＥＲ＿ＲＥＦを用いるように設定されることもできる。
【０２９１】
（第５方案）
本発明によると、搬送波集成技法（ＣＡ）が適用された場合、特定のセル（あるいは上りリンクコンポーネントキャリア）上のＤ２Ｄシグナル伝送と他のセル（あるいは上りリンクコンポーネントキャリア）上のＷＡＮ  ＵＬシグナル伝送が少なくとも一部（すなわち、一部あるいは全部）重なることができる。ここで、このような現象は相異なるセルが相異なるＴＡＧ（Ｔｉｍｉｎｇ  Ａｄｖａｎｃｅ  Ｇｒｏｕｐ）に属する場合あるいはＤ２Ｄシグナル伝送にＤＬタイミングが適用（あるいは利用）される場合などに発生し得る。
【０２９２】
例えば、二つのセル（すなわち、Ｃｅｌｌ＃Ａ、Ｃｅｌｌ＃Ｂ）が搬送波集成技法に用いられ、Ｃｅｌｌ＃ＡのＳＦ＃ｉ上のＤ２Ｄシグナル伝送と、Ｃｅｌｌ＃ＢのＳＦ＃ｉあるいはＳＦ＃（ｉ＋１）上のＷＡＮ  ＵＬシグナル伝送が少なくとも一部（すなわち、一部あるいは全部）重なる場合、その重なる領域でのＤ２Ｄシグナル伝送電力設定に関連して上述したＰＯＷＥＲ＿ＲＥＦ計算時には、該当ＷＡＮ  ＵＬシグナル伝送（すなわち、Ｃｅｌｌ＃Ｂ）が行われるサブフレームインデックス上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられるように設定されることができる。
【０２９３】
ここで、Ｃｅｌｌ＃ＡのＳＦ＃ｉ上のＤ２Ｄシグナル伝送とＣｅｌｌ＃ＢのＳＦ＃（ｉ＋１）上のＷＡＮ  ＵＬシグナル伝送が（一部あるいは全部）重なる場合、本発明によって、該当の重なる領域でのＤ２Ｄシグナル伝送電力設定関連ＰＯＷＥＲ＿ＲＥＦ計算時には、ＳＦ＃（ｉ＋１）（Ｃｅｌｌ＃Ａ）上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられることができる。
【０２９４】
若しくは、該当の重ならない領域でのＤ２Ｄシグナル伝送電力設定関連ＰＯＷＥＲ＿ＲＥＦ計算時には、ＳＦ＃ｉ（Ｃｅｌｌ＃Ａ）上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられるように設定されることもできる。
【０２９５】
また、二つのセル（すなわち、Ｃｅｌｌ＃Ａ、Ｃｅｌｌ＃Ｂ）が搬送波集成技法に用いられ、Ｃｅｌｌ＃ＡのＳＦ＃ｉ上のＤ２Ｄシグナル伝送とＣｅｌｌ＃ＢのＳＦ＃ｉあるいはＳＦ＃（ｉ＋１）上のＷＡＮ  ＵＬシグナル伝送が少なくとも一部（すなわち、一部あるいは全部）重なる場合、全体Ｄ２Ｄシグナル伝送電力設定に関連して上述したＰＯＷＥＲ＿ＲＥＦ計算時には、該当のＷＡＮ  ＵＬシグナル伝送（すなわち、Ｃｅｌｌ＃Ｂ）が行われるＳＦインデックス上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられるように設定されることもできる。例えば、Ｃｅｌｌ＃ＡのＳＦ＃ｉ上のＤ２Ｄシグナル伝送とＣｅｌｌ＃ＢのＳＦ＃（ｉ＋１）上のＷＡＮ  ＵＬシグナル伝送が少なくとも一部（すなわち、一部あるいは全部）重なる場合、本発明によって、該当の全体Ｄ２Ｄシグナル伝送電力設定関連のＰＯＷＥＲ＿ＲＥＦ計算時には、ＳＦ＃（ｉ＋１）（Ｃｅｌｌ＃Ａ）上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられる。
【０２９６】
また、該当の全体Ｄ２Ｄシグナル伝送電力設定関連ＰＯＷＥＲ＿ＲＥＦ計算時には、ＳＦ＃ｉ（Ｃｅｌｌ＃Ａ）上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられるように設定されることもできる。
【０２９７】
また、二つのセル（すなわち、Ｃｅｌｌ＃Ａ、Ｃｅｌｌ＃Ｂ）が搬送波集成技法に用いられ、Ｃｅｌｌ＃ＡのＳＦ＃ｉ上のＤ２Ｄシグナル伝送がＣｅｌｌ＃ＢのＳＦ＃ｉ及びＳＦ＃（ｉ＋１）上のＷＡＮ  ＵＬシグナル伝送と全部（あるいは一部）重なる場合、該当のＤ２Ｄシグナル伝送電力設定関連ＰＯＷＥＲ＿ＲＥＦ計算時には、Ｃｅｌｌ＃ＢのＳＦ＃ｉ及びＳＦ＃（ｉ＋１）上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）値の中で最大値（Ｍａｘｉｍｕｍ）（あるいは最小値（ｍｉｎｉｍｕｍ）あるいは平均値（ｍｅａｎ））が用いられるように設定されることができる。
【０２９８】
また、第５方案で、Ｃｅｌｌ＃ＡのＳＦ＃ｉ上のＤ２Ｄシグナル伝送がＣｅｌｌ＃ＢのＳＦ＃ｉあるいはＳＦ＃（ｉ＋１）上のＷＡＮ  ＵＬシグナル伝送と少なくとも一部が重なっても、Ｃｅｌｌ＃ＡとＣｅｌｌ＃Ｂ関連のＴＡ値の差が前もって定義された（あるいはシグナリングされた）閾値（ｔｈｒｅｓｈｏｌｄ）より小さい（あるいは以上の）場合にのみ、（該当）Ｄ２Ｄシグナル伝送電力設定関連ＰＯＷＥＲ＿ＲＥＦ計算時に（該当）ＷＡＮ  ＵＬシグナル伝送（すなわち、Ｃｅｌｌ＃Ｂ）が行われるサブフレームインデックス上の（第３方案あるいは第４方案による）ＰＵＣＣＨ基盤のＰＯＷＥＲ＿ＲＥＦ（あるいはＰＵＳＣＨ基盤のＰＯＷＥＲ＿ＲＥＦ）が用いられるように設定されることができる。
【０２９９】
また、第５方案で、Ｄ２Ｄシグナル伝送電力設定関連ＰＯＷＥＲ＿ＲＥＦ計算時に、ＰＵＣＣＨ基盤のＰＯＷＥＲ＿ＲＥＦとＰＵＳＣＨ基盤のＰＯＷＥＲ＿ＲＥＦの中でどれが適用されるかは、（第３方案あるいは第４方案で上述したように）該当Ｄ２Ｄシグナル伝送に適用されるＴＩＭＩＮＧ＿ＲＥＦ種類によって違って決定されることもできる。
【０３００】
また、第５方案でＤ２Ｄシグナル伝送電力設定関連ＰＯＷＥＲ＿ＲＥＦ計算時に、ＰＵＣＣＨ基盤のＰＯＷＥＲ＿ＲＥＦとＰＵＳＣＨ基盤のＰＯＷＥＲ＿ＲＥＦの中でどれが適用されるかは、（第４方案で上述したように）該当Ｄ２Ｄシグナルのタイプ（あるいは用途）によって違って決定されることもできる。
【０３０１】
上述した本発明の方案／実施例／設定／規則はそれぞれ一つの独立的な実施例として具現されることができ、上述した方案／実施例／設定／規則の少なくとも一部の組合せあるいは併合の形態に具現されることもできる。
【０３０２】
また、上述した本発明の実施例は、前もって指定された形態のＤ２Ｄ通信（例えば、ＭＯＤＥ１  Ｄ２Ｄ  ＣＯＭＭＵＮＩＣＡＴＩＯＮ、ＭＯＤＥ２  Ｄ２Ｄ  ＣＯＭＭＵＮＩＣＡＴＩＯＮ、ＴＹＰＥ１  Ｄ２Ｄ  ＤＩＳＣＯＶＥＲＹ、ＴＹＰＥ２  Ｄ２Ｄ  ＤＩＳＣＯＶＥＲＹ）が遂行される場合にのみ限定的に適用されるように設定することもできる。
【０３０３】
また、上述した本発明の実施例はＤ２Ｄ  ＧＲＡＮＴ上のＴＰＣフィールド（すなわち、１ビット）がＯＬＰＣ（Ｏｐｅｎ−Ｌｏｏｐ  Ｐｏｗｅｒ  Ｃｏｎｔｒｏｌ）（あるいはＭＡＸＩＭＵＭ  ＡＶＡＩＬＡＢＬＥ  Ｄ２Ｄ  ＰＯＷＥＲ）動作を指示するときにのみ限定的に適用されるように設定することもできる。
【０３０４】
また、上述した本発明の実施例は、Ｄ２Ｄ  ＵＥの観点で総伝送電力（Ｔｏｔａｌ  Ｔｒａｎｓｍｉｓｓｉｏｎ  Ｐｏｗｅｒ）が前もって設定されるかシグナリングされたＰＣＭＡＸ（あるいはＰＣＭＡＸ、ｃ）値を超えない場合にのみ限定的に適用されるように設定することもできる。
【０３０５】
また、上述した本発明の実施例はＩｎ−Ｃｏｖｅｒａｇｅ  Ｄ２Ｄ  ＵＥ及び／又はＯｕｔ−Ｃｏｖｅｒａｇｅ  Ｄ２Ｄ  ＵＥ及び／又はＰａｒｔｉａｌ−Ｃｏｖｅｒａｇｅ  Ｄ２Ｄ  ＵＥにのみ限定的に適用されるように設定することもできる。
【０３０６】
また、上述した本発明の実施例（すなわち、第２方案ないし第５方案）の少なくとも一部はＲＲＣ＿ＣＯＮＮＥＣＴＥＤ  ＭＯＤＥにあるＤ２Ｄ  ＴＸ  ＵＥ（及び／又はＲＲＣ＿ＩＤＬＥ  ＭＯＤＥにあるＤ２Ｄ  ＴＸ  ＵＥ）にのみ限定的に適用されるように設定することもできる。
【０３０７】
図１０は本発明の一実施例に適用可能な基地局及び端末を例示する。
【０３０８】
無線通信システムにリレーが含まれる場合、バックホールリンクで通信は基地局とリレーの間でなされ、アクセスリンクで通信はリレーと端末の間でなされる。したがって、図面に例示した基地局又は端末は状況に合わせてリレーに取り替えることができる。
【０３０９】
図１０を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した手順及び／又は方法を具現するように構成されることができる。メモリ１１４はプロセッサ１１２に連結され、プロセッサ１１２の動作に係わる多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した手順及び／又は方法を具現するように構成されることができる。メモリ１２４はプロセッサ１２２に連結され、プロセッサ１２２の動作に係わる多様な情報を記憶する。ＲＦユニット１２６はプロセッサ１２２に連結され、無線信号を送信及び／又は受信する。基地局１１０及び／又は端末１２０は単一アンテナ又は多重アンテナを有することができる。
【０３１０】
以前述した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０３１１】
本文書で基地局によって遂行されると説明した特定の動作は場合によってはその上位ノード（ｕｐｐｅｒ  ｎｏｄｅ）によって遂行されることができる。すなわち、基地局を含む複数のネットワークノード（ｎｅｔｗｏｒｋ  ｎｏｄｅｓ）からなるネットワークで端末との通信のために行われる多様な動作は基地局又は基地局以外の他のネットワークノードによって遂行されることができるのは自明である。基地局は固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に取り替えることができる。
【０３１２】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０３１３】
ファームウェアやソフトウェアによる具現の場合、本発明の一実施例は、以前述した機能又は動作を行うモジュール、手続、関数などの形態に具現することができる。ソフトウェアコードは、メモリユニットに格納してプロセッサによって駆動することができる。
【０３１４】
前記メモリユニットは、前記プロセッサの内部又は外部に位置し、既に公知の多様な手段によって前記プロセッサとデータをやり取りすることができる。
本明細書は、例えば、以下の項目も提供する。
（項目１）
無線通信システムにおいて第１Ｄ２Ｄ（Ｄｅｖｉｃｅ−ｔｏ−Ｄｅｖｉｃｅ）端末がＤ２Ｄ信号を送信する方法であって、
Ｄ２Ｄ信号タイプによって適用されるタイミングレファレンスに基づいてＤ２Ｄ送信電力参照を設定する段階；及び
前記Ｄ２Ｄ送信電力参照によって決定されたＤ２Ｄ送信電力に基づいてＤ２Ｄ信号を第２Ｄ２Ｄ端末に送信する段階を含み、
前記Ｄ２Ｄ送信電力参照は、
前記タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、
前記タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定される、Ｄ２Ｄ信号送信方法。
（項目２）
前記Ｄ２Ｄ信号タイプが、Ｄ２Ｄスケジューリング割当て（Ｄ２Ｄ  ｓｃｈｅｄｕｌｉｎｇ  ａｓｓｉｇｎｍｅｎｔ）、タイプ１Ｄ２Ｄディスカバリー（Ｔｙｐｅ１  Ｄ２Ｄ  ｄｉｓｃｏｖｅｒｙ）の場合、下りリンクタイミングに従うように設定され、
前記Ｄ２Ｄ信号タイプが、モード１Ｄ２Ｄ通信（Ｍｏｄｅ１  Ｄ２Ｄ  ｃｏｍｍｕｎｉｃａｔｉｏｎ）の場合、上りリンクタイミングに従うように設定されることを特徴とする、項目１に記載のＤ２Ｄ信号送信方法。
（項目３）
前記Ｄ２Ｄ送信電力参照は、
前記タイミングレファレンスが下りリンクタイミングに従う場合、数式Ａによって決定されることを特徴とし、
＜数式Ａ＞
ＭＩＮ｛ＰＣＭＡＸ、ｃ（ｉ）、Ｐ０＿ＰＵＣＣＨ＋ＰＬｃ＋ｇ（ｉ）｝、
ここで、
【化７５】
0006370990.tif 000087
は前記第１Ｄ２Ｄ端末の伝送可能な最大電力を示し、
【化７６】
0006370990.tif 000088
はセル−特定（ｃｅｌｌ−ｓｐｅｃｉｆｉｃ）パラメーターの和で構成されたパラメーターを示し、
【化７７】
0006370990.tif 000089
は端末がｄＢ単位で計算した下りリンク経路損失（又は信号損失）推定値を示し、
【化７８】
0006370990.tif 000090
はインデックス
【化７９】
0006370990.tif 000091
サブフレームの現在ＰＵＣＣＨ電力制御調整ステート（ａｄｊｕｓｔｍｅｎｔ  ｓｔａｔｅ）を示し、Ｍｉｎ｛Ａ、Ｂ｝は入力パラメーターＡとＢの中で小さな値を導出する関数を示す、項目１に記載のＤ２Ｄ信号送信方法。
（項目４）
前記Ｄ２Ｄ送信電力参照は、
前記タイミングレファレンスが上りリンクタイミングに従う場合、数式Ｂによって決定されることを特徴とし、
＜数式Ｂ＞
ＭＩＮ｛ＰＣＭＡＸ、ｃ（ｉ）、Ｐ０＿ＰＵＳＣＨ、ｃ（１）＋αｃ（１）（ＰＬｃ＋ｆｃ（ｉ）｝、
ここで、
【化８０】
0006370990.tif 000092
は前記第１Ｄ２Ｄ端末の伝送可能な最大電力を示し、
【化８１】
0006370990.tif 000093
は上位階層から提供されたセル−特定ノミナルコンポーネント（ｎｏｍｉｎａｌ  ｃｏｍｐｏｎｅｎｔ）
【化８２】
0006370990.tif 000094
と上位階層から提供された端末−特定コンポーネント
【化８３】
0006370990.tif 000095
の和で構成されたパラメーターを示し、ｃは経路損失補償因子（ｐａｔｈｌｏｓｓ  ｃｏｍｐｅｎｓａｔｉｏｎ  ｆａｃｔｏｒ）を示し、
【化８４】
0006370990.tif 000096
はサブフレームインデックス
【化８５】
0006370990.tif 000097
に対して現在ＰＵＳＣＨ電力制御調整状態を示し、Ｍｉｎ｛Ａ、Ｂ｝は入力パラメーターＡとＢの中で小さな値を導出する関数を示す、項目１に記載のＤ２Ｄ信号送信方法。
（項目５）
前記Ｄ２Ｄ送信電力は、
ＲＲＣ連結状態（ＲＲＣ＿Ｃｏｎｎｅｃｔｅｄ）のＤ２Ｄ端末に対し、ＲＲＣ連結遊休状態（ＲＲＣ＿Ｃｏｎｎｅｃｔｅｄ）のＤ２Ｄ端末より高く設定されることを特徴とする、項目１に記載のＤ２Ｄ信号送信方法。
（項目６）
前記Ｄ２Ｄ送信電力は、
ＲＲＣ連結状態（ＲＲＣ＿Ｃｏｎｎｅｃｔｅｄ）のＤ２Ｄ端末に対し、ＷＡＮ基盤上りリンク通信関連電力制御命令（ＴＰＣ）パラメーター変化によって再設定されることを特徴とする、項目１に記載のＤ２Ｄ信号送信方法。
（項目７）
搬送波集成を支援する無線通信システムにおいて第１Ｄ２Ｄ（Ｄｅｖｉｃｅ−ｔｏ−Ｄｅｖｉｃｅ）端末がＤ２Ｄ信号及びＷＡＮ（Ｗｉｄｅ  Ａｒｅａ  Ｎｅｔｗｏｒｋ）信号を送信する方法であって、
前記Ｄ２Ｄ信号に対する第１タイミングレファレンス及び前記ＷＡＮ信号に対する第２タイミングレファレンスに基づいてＤ２Ｄ送信電力参照を設定する段階；及び
前記Ｄ２Ｄ送信電力参照によって決定されたＤ２Ｄ送信電力に基づいてＤ２Ｄ信号を第２Ｄ２Ｄ端末に送信する段階を含み、
前記Ｄ２Ｄ送信電力参照は、
前記第１タイミングレファレンスによる第１サブフレームと前記第２タイミングレファレンスによる第２サブフレームが重畳し、前記第２タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、
前記第１タイミングレファレンスによる第１サブフレームと前記第２タイミングレファレンスによる第２サブフレームが重畳し、前記第２タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定される、Ｄ２Ｄ信号送信方法。
（項目８）
無線通信システムにおいてＤ２Ｄ信号を送信する第１Ｄ２Ｄ（Ｄｅｖｉｃｅ−ｔｏ−Ｄｅｖｉｃｅ）端末であって、
無線周波数ユニット（Ｒａｄｉｏ  Ｆｒｅｑｕｅｎｃｙ  Ｕｎｉｔ）；及び
プロセッサ（Ｐｒｏｃｅｓｓｏｒ）を含み、
前記プロセッサは、Ｄ２Ｄ信号タイプによって適用されるタイミングレファレンスに基づいてＤ２Ｄ送信電力参照を設定し、前記Ｄ２Ｄ送信電力参照によって決定されたＤ２Ｄ送信電力に基づいてＤ２Ｄ信号を第２Ｄ２Ｄ端末に送信するように構成され、
前記Ｄ２Ｄ送信電力参照は、
前記タイミングレファレンスが下りリンクタイミングに従う場合、ＷＡＮ（Ｗｉｄｅ  Ａｒｅａ  Ｎｅｔｗｏｒｋ）基盤ＰＵＣＣＨ（Ｐｈｙｓｉｃａｌ  Ｕｐｌｉｎｋ  Ｃｏｎｔｒｏｌ  Ｃｈａｎｎｅｌ）の電力参照を用いて設定され、
前記タイミングレファレンスが上りリンクタイミングに従う場合、ＷＡＮ（Ｗｉｄｅ  Ａｒｅａ  Ｎｅｔｗｏｒｋ）基盤ＰＵＳＣＨ（Ｐｈｙｓｉｃａｌ  Ｕｐｌｉｎｋ  Ｓｈａｒｅｄ  Ｃｈａｎｎｅｌ）の電力参照を用いて設定される、第１Ｄ２Ｄ端末。
【０３１５】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０３１６】
上述したような無線通信システムにおけるＤ２Ｄ（Ｄｅｖｉｃｅ−ｔｏ−Ｄｅｖｉｃｅ）通信のための送信電力制御方法及びそのための装置は３ＧＰＰ  ＬＴＥシステムに適用される例を中心に説明したが、３ＧＰＰ  ＬＴＥシステムの外にも多様な無線通信システムに適用することができる。
【図１】
0006370990.tif 000109
【図２】
0006370990.tif 000110
【図３】
0006370990.tif 000111
【図４】
0006370990.tif 000112
【図５】
0006370990.tif 000113
【図６】
0006370990.tif 000114
【図７】
0006370990.tif 000115
【図８（ａ）】
0006370990.tif 000116
【図８（ｂ）】
0006370990.tif 000117
【図９】
0006370990.tif 000118
【図１０】
0006370990.tif 000119